(57)【特許請求の範囲】
【請求項１】
制御ノードにおいて使用される方法（１４００）であって、
前記制御ノードの制御下にあるすべてのアクティブリンクに対する指向性リンク干渉マップ（ＤＬＩＭ）に基づいて、１つまたは複数のクライアント無線ノードを選択すること（Ｓ１４１０）であって、前記１つまたは複数のクライアント無線ノードのそれぞれは、前記制御ノードの制御下にあるサーバ無線ノードによってサーブされ、前記１つまたは複数のクライアント無線ノードのそれぞれと、そのサーバ無線ノードとの間にアクティブリンクがある、選択すること（Ｓ１４１０）と、
前記選択された１つまたは複数のクライアント無線ノードのそれぞれに対して、前記クライアント無線ノードと他の無線ノードとの間に１つまたは複数の候補リンクを決定すること（Ｓ１４２０）であって、前記１つまたは複数の候補リンクは、前記クライアント無線ノードとそのサーバ無線ノードとの間のアクティブリンク以外のものであり、前記１つまたは複数の候補リンクのうちの１つは、前記アクティブリンクを置換するために確立されることになる可能性を有する、決定すること（Ｓ１４２０）と、
前記決定された候補リンクのそれぞれ、および前記制御ノードの制御下にあるすべてのアクティブリンクに対して、サウンディングおよびセンシング関連のパラメータのセットを決定すること（Ｓ１４３０）であって、サウンディングおよびセンシング関連のパラメータの前記決定されたセットは、前記リンクに対する専用のサウンディングおよびセンシング関連のパラメータのセット、ならびに前記決定された候補リンクのすべて、および前記制御ノードの制御下にあるすべてのアクティブリンクに対する共通のサウンディングおよびセンシング関連のパラメータのセットを含み、前記共通のサウンディングおよびセンシング関連のパラメータのセットは、サウンディングおよびセンシングの期間、ならびにサウンディングおよびセンシングの間隔を含む、決定すること（Ｓ１４３０）と、
前記決定された候補リンクのそれぞれ、およびすべてのアクティブリンクに対する、サウンディングおよびセンシング関連のパラメータの前記決定されたセットを、前記リンクの送信ノードおよび受信ノードに送信すること（Ｓ１４４０）と
を含む、方法（１４００）。
【請求項２】
すべてのアクティブリンクに対する前記ＤＬＩＭに基づいて、１つまたは複数のクライアント無線ノードを選択すること（Ｓ１４１０）は、
第１のクライアント無線ノードのアクティブリンクから第２のクライアント無線ノードのアクティブリンクへの干渉が、第１の所定の閾値を超過する場合、前記第１のクライアント無線ノードを選択することと、
前記第１のクライアント無線ノードの前記アクティブリンクからの干渉強度と、前記第２のクライアント無線ノードの前記アクティブリンクの信号強度との間の比率が、第２の所定の閾値を超過する場合、前記第１のクライアント無線ノードを選択することと、
前記第１のクライアント無線ノードの前記アクティブリンクから前記第２のクライアント無線ノードの前記アクティブリンクへの干渉が、第３の所定の閾値を超過し、前記第２のクライアント無線ノードの前記アクティブリンクの無線品質が、第４の所定の閾値より低い場合、前記第１のクライアント無線ノードを選択することと
のうちの少なくとも１つを含む、請求項１に記載の方法（１４００）。
【請求項３】
すべてのアクティブリンクに対する前記ＤＬＩＭに基づいて、１つまたは複数のクライアント無線ノードを選択すること（Ｓ１４１０）は、
クライアント無線ノードのアクティブリンクにより経験される干渉が、第５の所定の閾値を超過する場合、前記クライアント無線ノードを選択することと、
前記クライアント無線ノードの前記アクティブリンクのＳＮＲまたはＳＩＮＲが、第６の所定の閾値を下回る場合、前記クライアント無線ノードを選択することと、
前記クライアント無線ノードの前記アクティブリンクの前記ＳＮＲまたはＳＩＮＲが、前記第６の所定の閾値を下回り、前記クライアント無線ノードの前記アクティブリンクにより経験される前期干渉が、前記第５の所定の閾値を超過する場合、前記クライアント無線ノードを選択することと
のうちの少なくとも１つを含む、請求項１に記載の方法（１４００）。
【請求項４】
すべてのアクティブリンクに対する前記ＤＬＩＭに基づいて、１つまたは複数のクライアント無線ノードを選択すること（Ｓ１４１０）は、
前記サーバ無線ノードのトラフィック負荷が、第７の所定の閾値を超過するとき、クライアント無線ノードの選択を、そのサーバ無線ノードから受信すること
を含む、請求項１に記載の方法（１４００）。
【請求項５】
すべてのアクティブリンクに対する前記ＤＬＩＭに基づいて、１つまたは複数のクライアント無線ノードを選択すること（Ｓ１４１０）は、
前記クライアント無線ノードをサーブするサーバ無線ノードのトラフィック負荷が、前記サーバ無線ノードの、１つの隣接する無線ノードのトラフィック負荷を超過する場合、クライアント無線ノードを選択すること
を含む、請求項１に記載の方法（１４００）。
【請求項６】
前記共通のサウンディングおよびセンシング関連のパラメータのセットは、前記受信ノードがサウンディング信号をセンシングした結果を、前記受信ノードが前記制御ノードに報告するためのルールをさらに含む、請求項１から５のいずれか一項に記載の方法（１４００）。
【請求項７】
前記リンクに対する前記専用のサウンディングおよびセンシング関連のパラメータのセットは、前記送信ノードがサウンディング信号を送信するためにリソースユニットを指定するための、サウンディングのリソースパラメータを含み、前記指定されたリソースユニットは、時間、周波数、およびコードのうちの少なくとも１つまたは複数に関わるものである、請求項１から６のいずれか一項に記載の方法（１４００）。
【請求項８】
前記決定された候補リンクのすべて、および前記制御ノードの制御下にあるすべてのアクティブリンクのすべての受信ノードから、サウンディング信号をセンシングした１つまたは複数の結果を受信すること（Ｓ１４５０）と、
前記受信された１つまたは複数のセンシング結果に基づいて、拡大された指向性リンク干渉マップ（ＤＬＩＭ）を決定すること（Ｓ１４６０）と、
前記選択された１つまたは複数のクライアント無線ノードの中の１つのクライアント無線ノードに対して、前記決定された拡大されたＤＬＩＭに基づいて、前記クライアント無線ノードの、対応する１つまたは複数の候補リンクから、１つの新しいアクティブリンクを選択すること（Ｓ１４７０）と
をさらに含む、請求項１から７のいずれか一項に記載の方法（１４００）。
【請求項９】
１つの新しいアクティブリンクを選択すること（Ｓ１４７０）は、
前記決定された拡大されたＤＬＩＭに基づいて、リンクの１つまたは複数のセットを構築すること（Ｓ１４７１）であって、前記リンクの１つまたは複数のセットのうちの１つは、アクティブリンクの現行セットを置換するために使用されることになる可能性を有する、構築すること（Ｓ１４７１）と、
リンクの前記選択された１つまたは複数のセット、および前記アクティブリンクの現行セットのそれぞれに対して、パフォーマンス測定基準を評価すること（Ｓ１４７２）と、
新しいアクティブリンクとして、最善のパフォーマンス測定基準を有するリンクの１つのセットを選択すること（Ｓ１４７３）と
を含む、請求項８に記載の方法（１４００）。
【請求項１０】
前記決定された拡大されたＤＬＩＭに基づいて、リンクの１つまたは複数のセットを構築すること（Ｓ１４７１）は、
前記アクティブリンクの現行セットの中の１つまたは複数のアクティブリンクを、１つまたは複数の候補リンクで置換して、前記リンクの１つまたは複数のセットのうちの１つのセットを構築すること
を含む、請求項９に記載の方法（１４００）。
【請求項１１】
前記決定された拡大されたＤＬＩＭに基づいて、リンクの１つまたは複数のセットを構築すること（Ｓ１４７１）は、
前記アクティブリンクの現行セットから１つまたは複数のアクティブリンクを取り除き、前記リンクの１つまたは複数のセットのうちの１つのセットを構築すること
を含む、請求項９に記載の方法（１４００）。
【請求項１２】
前記決定された拡大されたＤＬＩＭに基づいて、リンクの１つまたは複数のセットを構築すること（Ｓ１４７１）は、
１つまたは複数の候補リンクを前記アクティブリンクの現行セットに追加して、前記リンクの１つまたは複数のセットのうちの１つのセットを構築すること
を含む、請求項９に記載の方法（１４００）。
【請求項１３】
制御ノードの制御下にある無線ノードにおいて使用される方法（１８００）であって、前記無線ノードは、クライアント無線ノードをサーブし、前記方法は、
前記クライアント無線ノードと別の無線ノードとの間の１つまたは複数の候補リンクを決定すること（Ｓ１８１０）であって、前記１つまたは複数の候補リンクは、前記クライアント無線ノードと前記無線ノードとの間のアクティブリンク以外のものであり、前記１つまたは複数の候補リンクのうちの１つは、前記アクティブリンクを置換するために確立されることになる可能性を有する、決定すること（Ｓ１８１０）と、
前記決定された１つまたは複数の候補リンクを示すための指標を、前記制御ノードに送信すること（Ｓ１８２０）と、
前記アクティブリンクおよび前記決定された１つまたは複数の候補リンクのそれぞれに対するサウンディングおよびセンシング関連のパラメータを、前記制御ノードから受信すること（Ｓ１８３０）であって、前記受信されたサウンディングおよびセンシング関連のパラメータは、前記リンクに対する専用のサウンディングおよびセンシング関連のパラメータ、ならびに前記決定された１つまたは複数の候補リンクのすべて、およびネットワークの制御下にあるすべてのアクティブリンクに対する共通のサウンディングおよびセンシング関連のパラメータを含み、前記共通のサウンディングおよびセンシング関連のパラメータは、サウンディングおよびセンシングの期間、ならびにサウンディングおよびセンシングの間隔を含む、受信すること（Ｓ１８３０）と、
前記アクティブリンクおよび前記決定された１つまたは複数の候補リンクのそれぞれに対して、前記受信されたサウンディングおよびセンシング関連のパラメータに基づいて、前記リンクの方向にあるすべてのサウンディング信号をセンシングし（Ｓ１８４０）、前記無線ノードが前記リンクの受信ノードとしてサーブするとき、１つまたは複数のセンシング結果を前記制御ノードに報告することと
を含む、方法（１８００）。
【請求項１４】
前記無線ノードの１つまたは複数の隣接する無線ノードに対する測定値を、前記クライアント無線ノードから受信すること（Ｓ１８５０）をさらに含み、前記１つまたは複数の候補リンクは、前記受信された測定値に基づいて決定される、請求項１３に記載の方法（１８００）。
【請求項１５】
前記１つまたは複数の候補リンクは、前記クライアント無線ノードの位置に基づいて決定される、請求項１３に記載の方法（１８００）。
【請求項１６】
前記共通のサウンディングおよびセンシング関連のパラメータは、前記無線ノードが前記リンクの受信ノードとしてサーブするとき、サウンディング信号をセンシングした前記１つまたは複数の結果を、前記無線ノードが前記制御ノードに報告するためのルールをさらに含む、請求項１３から１５のいずれか一項に記載の方法（１８００）。
【請求項１７】
前記無線ノードが前記リンクの送信ノードとしてサーブするとき、前記アクティブリンクおよび前記決定された１つまたは複数の候補リンクのそれぞれに対して、前記サウンディングおよびセンシング関連のパラメータに基づいて、前記リンクの方向にサウンディング信号を送信すること（Ｓ１８６０）をさらに含む、請求項１３から１６のいずれか一項に記載の方法（１８００）。
【請求項１８】
前記アクティブリンクおよび前記決定された１つまたは複数の候補リンクのそれぞれに対する前記専用のサウンディングおよびセンシング関連のパラメータは、前記無線ノードが前記サウンディング信号を送信するためにリソースユニットを指定するための、サウンディングのリソースパラメータを含み、前記指定されたリソースユニットは、時間、周波数、およびコードのうちの少なくとも１つまたは複数に関わるものである、請求項１７に記載の方法（１８００）。
【請求項１９】
制御ノード（１９００）の制御下にあるすべてのアクティブリンクに対する指向性リンク干渉マップ（ＤＬＩＭ）に基づいて、１つまたは複数のクライアント無線ノードを選択するように設定された第１の選択ユニット（１９１０）であって、前記１つまたは複数のクライアント無線ノードのそれぞれは、前記制御ノードの制御下にあるサーバ無線ノードによってサーブされ、前記１つまたは複数のクライアント無線ノードのそれぞれと、そのサーバ無線ノードとの間にアクティブリンクがある、第１の選択ユニット（１９１０）と、
前記選択された１つまたは複数のクライアント無線ノードのそれぞれに対して、前記クライアント無線ノードと他の無線ノードとの間の１つまたは複数の候補リンクを決定するように設定された第１の決定ユニット（１９２０）であって、前記１つまたは複数の候補リンクは、前記クライアント無線ノードと、そのサーバ無線ノードとの間のアクティブリンク以外のものであり、前記１つまたは複数の候補リンクのうちの１つは、前記アクティブリンクを置換するために確立されることになる可能性を有する、第１の決定ユニット（１９２０）と、
前記決定された候補リンクのそれぞれ、および前記制御ノードの制御下にあるすべてのアクティブリンクに対して、サウンディングおよびセンシング関連のパラメータのセットを決定するように設定された第２の決定ユニット（１９３０）であって、サウンディングおよびセンシング関連のパラメータの前記決定されたセットは、前記リンクに対する専用のサウンディングおよびセンシング関連のパラメータのセット、ならびに前記決定された候補リンクのすべて、および前記制御ノードの制御下にあるすべてのアクティブリンクに対する共通のサウンディングおよびセンシング関連のパラメータのセットを含み、前記共通のサウンディングおよびセンシング関連のパラメータのセットは、サウンディングおよびセンシングの期間、ならびにサウンディングおよびセンシングの間隔を含む、第２の決定ユニット（１９３０）と、
前記決定された候補リンクのそれぞれ、およびすべてのアクティブリンクに対する、サウンディングおよびセンシング関連のパラメータの前記決定されたセットを、前記リンクの送信ノードおよび受信ノードに送信するように設定された送信ユニット（１９４０）と
を備える、制御ノード（１９００）。
【請求項２０】
前記第１の選択ユニット（１９１０）は、
第１のクライアント無線ノードのアクティブリンクから第２のクライアント無線ノードのアクティブリンクへの干渉が、第１の所定の閾値を超過する場合、前記第１のクライアント無線ノードを選択することと、
前記第１のクライアント無線ノードの前記アクティブリンクからの干渉強度と、前記第２のクライアント無線ノードの前記アクティブリンクの信号強度との間の比率が、第２の所定の閾値を超過する場合、前記第１のクライアント無線ノードを選択することと、
前記第１のクライアント無線ノードの前記アクティブリンクから前記第２のクライアント無線ノードの前記アクティブリンクへの干渉が、第３の所定の閾値を超過し、前記第２のクライアント無線ノードの前記アクティブリンクの無線品質が、第４の所定の閾値より低い場合、前記第１のクライアント無線ノードを選択することと
のうちの少なくとも１つを実施するようにさらに設定される、請求項１９に記載の制御ノード（１９００）。
【請求項２１】
前記第１の選択ユニット（１９１０）は、
クライアント無線ノードのアクティブリンクにより経験される干渉が、第５の所定の閾値を超過する場合、前記クライアント無線ノードを選択することと、
クライアント無線ノードの前記アクティブリンクのＳＮＲまたはＳＩＮＲが、第６の所定の閾値を下回る場合、前記クライアント無線ノードを選択することと、
前記クライアント無線ノードの前記アクティブリンクの前記ＳＮＲまたはＳＩＮＲが、前記第６の所定の閾値を下回り、前記クライアント無線ノードの前記アクティブリンクにより経験される干渉が、前記第５の所定の閾値を超過する場合、前記クライアント無線ノードを選択することと
のうちの少なくとも１つを実施するようにさらに設定される、請求項１９に記載の制御ノード（１９００）。
【請求項２２】
前記第１の選択ユニット（１９１０）は、サーバ無線ノードのトラフィック負荷が第７の閾値を超過するとき、クライアント無線ノードの選択をその前記サーバ無線ノードから受信するようにさらに設定される、請求項１９に記載の制御ノード（１９００）。
【請求項２３】
前記第１の選択ユニット（１９１０）は、前記クライアント無線ノードをサーブするサーバ無線ノードのトラフィック負荷が、前記サーバ無線ノードの、１つの隣接する無線ノードのトラフィック負荷を超過する場合、クライアント無線ノードを選択するようにさらに設定される、請求項１９に記載の制御ノード（１９００）。
【請求項２４】
前記共通のサウンディングおよびセンシング関連のパラメータのセットは、前記受信ノードがサウンディング信号をセンシングした結果を、前記受信ノードが前記制御ノードに報告するためのルールをさらに含む、請求項１９から２３のいずれか一項に記載の制御ノード（１９００）。
【請求項２５】
前記リンクに対する前記専用のサウンディングおよびセンシング関連のパラメータのセットは、前記送信ノードがサウンディング信号を送信するためにリソースユニットを指定するための、サウンディングのリソースパラメータを含み、前記指定されたリソースユニットは、時間、周波数、およびコードのうちの少なくとも１つまたは複数に関わるものである、請求項１９から２４のいずれか一項に記載の制御ノード（１９００）。
【請求項２６】
前記決定された候補リンクのすべて、および前記制御ノードの制御下にあるすべてのアクティブリンクのすべての受信ノードから、サウンディング信号をセンシングした１つまたは複数の結果を受信するように設定された受信ユニット（１９５０）と、
前記受信された１つまたは複数のセンシング結果に基づいて、拡大された指向性リンク干渉マップ（ＤＬＩＭ）を決定するように設定された第３の決定ユニット（１９６０）と、
前記選択された１つまたは複数のクライアント無線ノードの中の１つのクライアント無線ノードに対して、前記決定された拡大されたＤＬＩＭに基づいて、前記クライアント無線ノードの、対応する１つまたは複数の候補リンクから、１つの新しいアクティブリンクを選択するように設定された第２の選択ユニット（１９７０）と
をさらに備える、請求項１９から２５のいずれか一項に記載の制御ノード（１９００）。
【請求項２７】
前記第２の選択ユニット（１９７０）は、
前記決定された拡大されたＤＬＩＭに基づいて、リンクの１つまたは複数のセットを構築することであって、前記リンクの１つまたは複数のセットのうちの１つは、アクティブリンクの現行セットを置換するために使用されることになる可能性を有する、構築することと、
リンクの前記選択された１つまたは複数のセット、および前記アクティブリンクの現行セットのそれぞれに対して、パフォーマンス測定基準を評価することと、
新しいアクティブリンクとして、最善のパフォーマンス測定基準を有するリンクの１つのセットを選択することと
を行うようにさらに設定される、請求項２６に記載の制御ノード（１９００）。
【請求項２８】
前記決定された拡大されたＤＬＩＭに基づいて、リンクの１つまたは複数のセットを構築することは、
前記アクティブリンクの現行セットの中の１つまたは複数のアクティブリンクを、１つまたは複数の候補リンクで置換して、前記リンクの１つまたは複数のセットのうちの１つのセットを構築すること
を含む、請求項２７に記載の制御ノード（１９００）。
【請求項２９】
前記決定された拡大されたＤＬＩＭに基づいて、リンクの１つまたは複数のセットを構築することは、
前記アクティブリンクの現行セットから１つまたは複数のアクティブリンクを取り除き、前記リンクの１つまたは複数のセットのうちの１つのセットを構築すること
を含む、請求項２７に記載の制御ノード（１９００）。
【請求項３０】
前記決定された拡大されたＤＬＩＭに基づいて、リンクの１つまたは複数のセットを構築することは、
１つまたは複数の候補リンクを前記アクティブリンクの現行セットに追加して、前記リンクの１つまたは複数のセットのうちの１つのセットを構築すること
を含む、請求項２７に記載の制御ノード（１９００）。
【請求項３１】
制御ノードの制御下にある無線ノード（２０００）であって、前記無線ノードは、クライアント無線ノードをサーブし、
前記クライアント無線ノードと別の無線ノードとの間の１つまたは複数の候補リンクを決定するように設定された決定ユニット（２０１０）であって、前記１つまたは複数の候補リンクは、前記クライアント無線ノードと前記無線ノードとの間のアクティブリンク以外のものであり、前記１つまたは複数の候補リンクのうちの１つは、前記アクティブリンクを置換するために確立されることになる可能性を有する、決定ユニット（２０１０）と、
前記決定された１つまたは複数の候補リンクを示す指標を、前記制御ノードに送信するように設定された送信ユニット（２０２０）と、
前記アクティブリンクおよび前記決定された１つまたは複数の候補リンクのそれぞれに対するサウンディングおよびセンシング関連のパラメータを、前記制御ノードから受信するように設定された受信ユニット（２０３０）であって、前記受信されたサウンディングおよびセンシング関連のパラメータは、前記リンクに対する専用のサウンディングおよびセンシング関連のパラメータ、ならびに前記決定された１つまたは複数の候補リンクのすべて、およびネットワークの制御下にあるすべてのアクティブリンクに対する共通のサウンディングおよびセンシング関連のパラメータを含み、前記共通のサウンディングおよびセンシング関連のパラメータは、サウンディングおよびセンシングの期間、ならびにサウンディングおよびセンシングの間隔を含む、受信ユニット（２０３０）と、
前記アクティブリンクおよび前記決定された１つまたは複数の候補リンクのそれぞれに対して、前記受信されたサウンディングおよびセンシング関連のパラメータに基づいて、前記リンクの方向にあるすべてのサウンディング信号をセンシングし、前記無線ノードが前記リンクの受信ノードとしてサーブするとき、１つまたは複数のセンシング結果を前記制御ノードに報告するように設定された、センシングユニット（２０４０）と
を備える、無線ノード（２０００）。
【請求項３２】
前記受信ユニット（２０３０）は、前記無線ノードの１つまたは複数の隣接する無線ノードに対する測定値を、前記クライアント無線ノードから受信するようにさらに設定され、前記１つまたは複数の候補リンクは、前記受信された測定値に基づいて決定される、請求項３１に記載の無線ノード（２０００）。
【請求項３３】
前記１つまたは複数の候補リンクは、前記クライアント無線ノードの位置に基づいて決定される、請求項３１に記載の無線ノード（２０００）。
【請求項３４】
前記共通のサウンディングおよびセンシング関連のパラメータは、前記無線ノードが前記リンクの受信ノードとしてサーブするとき、サウンディング信号をセンシングした前記１つまたは複数の結果を、前記無線ノードが前記制御ノードに報告するためのルールをさらに含む、請求項３１から３３のいずれか一項に記載の無線ノード（２０００）。
【請求項３５】
前記送信ユニット（２０２０）は、前記無線ノードが前記リンクの送信ノードとしてサーブするとき、前記アクティブリンクおよび前記決定された１つまたは複数の候補リンクのそれぞれに対して、前記サウンディングおよびセンシング関連のパラメータに基づいて、前記リンクの方向にサウンディング信号を送信するように設定されたさらなるユニットである、請求項３１から３４のいずれか一項に記載の無線ノード（２０００）。
【請求項３６】
前記アクティブリンクおよび前記決定された１つまたは複数の候補リンクのそれぞれに対する前記専用のサウンディングおよびセンシング関連のパラメータは、前記無線ノードが前記サウンディング信号を送信するためにリソースユニットを指定するための、サウンディングのリソースパラメータを含み、前記指定されたリソースユニットは、時間、周波数、およびコードのうちの少なくとも１つまたは複数に関わるものである、請求項３５に記載の無線ノード（２０００）。
【請求項３７】
実行されるとき、１つまたは複数のコンピューティングデバイスに、請求項１から１８のいずれか一項に記載の方法を実施させる命令を備える、コンピュータプログラム。
【発明の詳細な説明】
【技術分野】
【０００１】
本開示において提示された技術は、一般に、ワイヤレス通信ネットワークの技術分野に関する。より詳細には、本開示は、制御ノードにおいて使用される方法および関連付けられた制御ノード、ならびに制御ノードの制御下にある無線ノードにおいて使用される方法および関連付けられた無線ノードに関する。
【背景技術】
【０００２】
本セクションは、本開示において説明される技術の様々な実施形態の背景を提供するために意図される。本セクションにおける説明は、追求されることがある概念、しかし必ずしも、以前に想像された、または追求されたものではない概念を含んでよい。したがって、本明細書において別段の指示がない限り、本セクションにおいて説明されることは、本開示の説明および／または特許請求の範囲に対する従来技術ではなく、本セクションに単に含めただけで従来技術であると認められるわけではない。
【０００３】
現在、３０ＧＨｚから３００ＧＨｚの高い周波数で動作するミリ波（ＭＭＷ）ワイヤレスシステムなどの、ワイヤレス通信ネットワークまたはシステムは、マルチＧｂ／ｓの速度を可能にすることによって急増する帯域幅の要件を満たすための、有望な技術として現れつつある。例えば、第５世代（５Ｇ）ネットワークは、エボルブド第３世代（３Ｇ）技術、第４世代（４Ｇ）技術、およびＭＭＷ無線アクセス技術（ＲＡＴ）とも呼ばれる超高密度ネットワーク（ＵＤＮ）などの、現れつつある、または実質的に新しい構成要素の組合せになりそうである。このような高い周波数において、大多数のアンテナは、送信機、受信機、または両方で利用可能であることがある。典型的に発生する大きな伝搬損失を補うために、ビーム形成は、ＭＭＷワイヤレスシステムにおいて、非常に重要な特性になる。
【０００４】
ビーム形成は、指向性信号の送信および／または受信のために使用される信号処理技法である。送信機（ＴＸ）がビーム形成するために、信号は、選択されたプリコーディングベクトルをＴＸアンテナアレイに適用することによって、所望の方向に集中される。受信機（ＲＸ）がビーム形成するために、受信機アンテナのＲＸビームは、選択されたプリコーディングベクトルをＲＸアンテナアレイに適用することによって、無線信号の入ってくる方向に集中される。ビーム形成は、空間的選択性を実現するために、送信および受信エンドの両方で使用されることがある。無指向性の受信／送信と比較される改善点は、ビーム形成利得として知られる。複数のアンテナが送信機、受信機、または両方で利用可能なとき、効率的なビームパターンをアンテナに適用し、対応するワイヤレスチャネルの空間的選択性をより良く活用することが、したがって重要である。
【０００５】
図１は、ＭＭＷのＲＡＴネットワークの１つの例を概略的に示す。図１に示されるように、中央制御装置（ＣＣＵ）と呼ばれるネットワークノードまたは制御ノードがあり、アクセスノード（ＡＮ）、例えば、ＡＮ１、ＡＮ２、ＡＮ３、およびＡＮ４の間のパラメータの設定および連携に対して少なくとも責任がある。
【０００６】
典型的には、リンクの受信機側における受信された電力は、
0006498323.tif 000002
として表現されることがあり、ここで、ＰＴＸは、リンクの送信機側からの送信電力であり、ＧＴＸおよびＧＲＸは、それぞれ、送信アンテナおよび受信アンテナのビーム形成利得であり、λは、波長であり、αは、媒体内での吸収による減衰因子である。６０ＧＨｚでのＭＭＷ波のリンクに対して、酸素の吸収損失は、１６ｄＢ／ｋｍの大きさに及ぶことがある。
【０００７】
上記の公式から、無線波の減衰が、
0006498323.tif 000003
に比例するものであることは明らかである。同じ伝搬距離では、６０ＧＨｚは、酸素吸収を考慮せずに、２ＧＨｚと比較して２９．５ｄＢを越えて減衰する。
【０００８】
このことを考慮すると、高利得ビーム形成は、余分の減衰を補償するために必須である。小さい波長のおかげで、より多くのアンテナ素子は、アンテナパネル内に同じサイズで統合されることができる。これは、より高いビーム形成利得に到達することを可能にする。しかし、数十、または数百ものアンテナ素子がある場合、それぞれのアンテナ素子に対する１つの無線周波数（ＲＦ）チェーン（ＴＸのＲＦチェーンまたはＲＸのＲＦチェーンのどちらか）は、容認できないコストのために適用できない。このようなケースにおいて、複数のアンテナ素子は、１つのＲＦチェーンを共有し、具体的なアナログ位相調節は、ビームの方向を調節し、ビーム形成利得を最大化するために、それぞれのアンテナに適用される。狭いＴＸビームのために、ビーコン信号の送信を操作して、ＡＮの発見エリアを有効にすること、およびビーム形成のトレーニングを予備形成して、ビーム形成利得を最大化することが必要とされる。
【０００９】
その一方で、高利得ビーム形成は、例えば、見つけにくい問題（ｈｉｄｄｅｎ  ｐｒｏｂｌｅｍ）および聞こえない問題（ｄｅａｆｎｅｓｓ  ｐｒｏｂｌｅｍ）を含む、課題を提起することがある。これらの問題は、以下で詳細に説明される。
【００１０】
図２は、高利得ビーム形成の指向性によって引き起こされる見つけにくい問題の例を図示する。図２に示されるように、リンクペア１は、アクセスポイント１（ＡＰ１）およびユーザ機器１（ＵＥ１）によって構成され、リンクペア２は、ＡＰ２およびＵＥ２によって構成される。ＡＰ２がＵＥ２に送信しているとき、ＡＰ１とＵＥ１の両方がＡＰ２からＵＥ２へのＴＸビームのカバレッジの外側にあるので、ＡＰ１またはＵＥ１のどちらも、ＡＰ２およびＵＥ２によって利用されるチャネルを検出できない。しかし、ＡＰ１がデータをＵＥ１に送信すると、このＴＸビームは、ＵＥ２に到達することができ、干渉を引き起こす。
【００１１】
図３は、高利得ビーム形成の指向性によって引き起こされる聞こえない問題の例を図示する。図３に示されるように、ＵＥ１およびＡＰ１は、リンクペア１を構成し、ＵＥ２およびＡＰ２は、リンクペア２を構成する。リンクペア２には、ＡＰ２からＵＥ２への進行中のデータ送信がある。しかし、これは、ＵＥ１がこの方向を監視（またはセンシング）しないので、ＵＥ１によって検出されない。しかし、ＵＥ１がデータ送信を開始すると、ＵＥ２によるデータ受信は、ＵＥ１とＵＥ２が互いに近いために明らかに影響を及ぼされることがある。
【００１２】
現在、ＭＭＷ−ＲＡＴの全体的なキャリアの帯域幅は、１ＧＨｚまたは２ＧＨｚまでになることがあると想定される。この帯域幅は、一定の帯域幅、例えば１００ＭＨｚの多くのサブ帯域キャリアによって、構成されることがある。例として、図４は、４つのサブ帯域を有する１つのＭＭＷ−ＲＡＴキャリアを図示する。図４における最小のリソースグリッドは、周波数領域内のサブ帯域に、および時間領域内のサブフレームに対応し、サウンディングおよびセンシングリソースエレメントと呼ばれることがある。当然、サウンディングおよびセンシングリソースエレメントは、コードに関わるものであってもよい。
【００１３】
利用可能なリソースを割り当てるために、コンテンションベースのリソース割り当て方式、および／またはスケジューリングベースのリソース割り当て方式は、衝突回避の基本ポリシとしてＭＭＷ−ＲＡＴに適用されてよい。コンテンションベースのリソース割り当て方式は、チャネルの可用性に対する自主判断に基づいて、チャネルをめぐって競争するメカニズムを提供する。スケジューリングベースのリソース割り当て方式において、スケジューラ、例えば、図１に示されるようなＣＣＵは、最初にコンテンションベースの方法または連携方法のどちらかによって、リソースの可制御性を最初に得て、リソースを制御されたリンクに割り当てる。
【００１４】
コンテンションベースのリソース割り当て方式およびスケジューリングベースのリソース割り当て方式の一定の組合せがあることがある。図５は、ＭＭＷ−ＲＡＴネットワークにおける、複雑な干渉状況の例を図示する。図５に示されるように、高利得ビーム形成の指向性のために、リンク１およびリンク２は、耐えられないアップリンク（ＵＬ）からダウンリンク（ＤＬ）への干渉を有することがある一方、リンク５およびリンク６は、耐えられないＤＬからＤＬへの干渉およびＵＬからＤＬへの干渉を有することがある。
【００１５】
高利得ビーム形成の指向性のために、衝突判断は、全送信より複雑である。在来の測定は、前述の聞こえない問題および見つけにくい問題のために、あまり作用しない。加えて、ワイヤレスローカルエリアネットワーク（ＷＬＡＮ、８０２．１１）およびワイヤレスパーソナルエリアネットワーク（ＷＰＡＮ、８０２．１５）において商業的に使用されるキャリアセンシング方法が開発されるが、これらは、主に、ローカルアクセスシステムのためのものである。これは、分散型キャリアセンシング方式であり、すなわち、キャリアセンシングは、それぞれのノードペアによって、独立して行われる。ＭＭＷのＲＡＴに関して、第１に、ワイヤレスフィデリティ（ＷｉＦｉ）が目標とするものよりも、ＡＰおよびＵＥの複数のノードを伴う、より良い大きさにされた展開、ならびにより良いネットワークの可制御性（例えば、自己最適化、自己組織化、および機動性）があり得ることが期待される。第２に、ＭＭＷのＲＡＴは、ＷｉＦｉよりずっと良いサービスの品質（ＱｏＳ）を提供することを期待される。この意味では、ＷｉＦｉの単純な分散型キャリアセンシングよりも良い測定が望まれる。
【００１６】
３Ｇおよび４Ｇのワイヤレスシステムにおける干渉測定は、リンク間の干渉ではなく、主に、セル間／送信ポイント間の干渉を測定するためにデザインされる。ＭＭＷのＲＡＴのケースにおける小さいセクタサイズおよび大きな重複カバレッジのために、３Ｇまたは４Ｇのシステムに類似の測定は、衝突中のリンクを識別すること、および干渉管理を支援することには十分ではない。
【発明の概要】
【００１７】
本技術の様々な実施形態がなされてきたことは、上記の考察などを考慮してのものである。具体的に言うと、上記の欠点のうちの少なくともいくつかに向けて、本開示は、ＣＣＵの制御下にあるすべてのリンクに対して、指向性サウンディングおよびセンシングのパラメータを調整することを提案し、それによって干渉測定を容易にする。
【００１８】
本開示の第１の態様によれば、制御ノードにおいて使用される方法が提案される。方法は、制御ノードの制御下にあるすべてのアクティブリンクに対する指向性リンク干渉マップ（Ｄｉｒｅｃｔｉｏｎａｌ  Ｌｉｎｋ  Ｉｎｔｅｒｆｅｒｅｎｃｅ  Ｍａｐ）（ＤＬＩＭ）に基づいて、１つまたは複数のクライアント無線ノードを選択することを含む。１つまたは複数のクライアント無線ノードのそれぞれは、制御ノードの制御下にあるサーバ無線ノードによってサーブされる。１つまたは複数のクライアント無線ノードのそれぞれと、そのサーバ無線ノードとの間にアクティブリンクがある。方法は、選択された１つまたは複数のクライアント無線ノードのそれぞれに対して、クライアント無線ノードと他の無線ノードとの間に１つまたは複数の候補リンクを決定することをさらに含む。１つまたは複数の候補リンクは、クライアント無線ノードと、そのサーバ無線ノードとの間のアクティブリンク以外のものである。１つまたは複数の候補リンクのうちの１つは、アクティブリンクを置換するために確立されることになる可能性を有する。方法は、決定された候補リンクのそれぞれ、および制御ノードの制御下にあるすべてのアクティブリンクに対して、サウンディングおよびセンシング関連のパラメータのセットを決定することをさらに含む。サウンディングおよびセンシング関連のパラメータの決定されたセットは、リンクに対する専用のサウンディングおよびセンシング関連のパラメータのセット、ならびに決定された候補リンクのすべて、および制御ノードの制御下にあるすべてのアクティブリンク対する共通のサウンディングおよびセンシング関連のパラメータのセットを含む。共通のサウンディングおよびセンシング関連のパラメータのセットは、サウンディングおよびセンシングの期間、ならびにサウンディングおよびセンシングの間隔を含む。方法は、サウンディングおよびセンシング関連のパラメータの決定されたセットを、それぞれのリンクの送信ノードおよび受信ノードに送信することをさらに含む。
【００１９】
好ましくは、すべてのアクティブリンクに対するＤＬＩＭに基づいて、１つまたは複数のクライアント無線ノードを選択することは、第１のクライアント無線ノードのアクティブリンクから第２のクライアント無線ノードのアクティブリンクへの干渉が、第１の所定の閾値を超過する場合、第１のクライアント無線ノードを選択することと、第１のクライアント無線ノードのアクティブリンクからの干渉強度と、第２のクライアント無線ノードのアクティブリンクの信号強度との間の比率が、第２の所定の閾値を超過する場合、第１のクライアント無線ノードを選択することと、第１のクライアント無線ノードのアクティブリンクから第２のクライアント無線ノードのアクティブリンクへの干渉が、第３の所定の閾値を超過し、第２のクライアント無線ノードのアクティブリンクの無線品質が、第４の所定の閾値より低い場合、第１のクライアント無線ノードを選択することとのうちの少なくとも１つを含む。
【００２０】
好ましくは、すべてのアクティブリンクに対するＤＬＩＭに基づいて、１つまたは複数のクライアント無線ノードを選択することは、クライアント無線ノードのアクティブリンクにより経験される干渉が、第５の所定の閾値を超過する場合、クライアント無線ノードを選択することと、クライアント無線ノードのアクティブリンクのＳＮＲまたはＳＩＮＲが、第６の所定の閾値を下回る場合、クライアント無線ノードを選択することと、クライアント無線ノードのアクティブリンクのＳＮＲまたはＳＩＮＲが、第６の所定の閾値を下回り、クライアント無線ノードのアクティブリンクにより経験される干渉が、第５の所定の閾値を超過する場合、クライアント無線ノードを選択することとのうちの少なくとも１つを含む。
【００２１】
好ましくは、すべてのアクティブリンクに対するＤＬＩＭに基づいて、１つまたは複数のクライアント無線ノードを選択することは、サーバ無線ノードのトラフィック負荷が、第７の所定の閾値を超過するとき、クライアント無線ノードの選択を、そのサーバ無線ノードから受信することを含む。
【００２２】
好ましくは、すべてのアクティブリンクに対するＤＬＩＭに基づいて、１つまたは複数のクライアント無線ノードを選択することは、クライアント無線ノードをサーブするサーバ無線ノードのトラフィック負荷が、サーバ無線ノードの、１つの隣接する無線ノードのトラフィック負荷を超過する場合、クライアント無線ノードを選択することを含む。
【００２３】
好ましくは、共通のサウンディングおよびセンシング関連のパラメータのセットは、受信ノードがサウンディング信号をセンシングした結果を、受信ノードが制御ノードに報告するためのルールをさらに含む。
【００２４】
好ましくは、リンクに対する専用のサウンディングおよびセンシング関連のパラメータのセットは、送信ノードがサウンディング信号を送信するためにリソースユニットを指定するための、サウンディングのリソースパラメータを含み、指定されたリソースユニットは、時間、周波数、およびコードのうちの少なくとも１つまたは複数に関わるものである。
【００２５】
好ましくは、方法は、決定された候補リンクのすべて、および制御ノードの制御下にあるすべてのアクティブリンクのすべての受信ノードから、サウンディング信号をセンシングした１つまたは複数の結果を受信することと、受信された１つまたは複数のセンシング結果に基づいて、拡大されたＤＬＩＭを決定することと、選択された１つまたは複数のクライアント無線ノードの中の１つのクライアント無線ノードに対して、決定された拡大されたＤＬＩＭに基づいて、クライアント無線ノードの、対応する１つまたは複数の候補リンクから、１つの新しいアクティブリンクを選択することとをさらに含む。
【００２６】
好ましくは、１つの新しいアクティブリンクを選択することは、決定された拡大されたＤＬＩＭに基づいて、リンクの１つまたは複数のセットを構築することであって、リンクの１つまたは複数のセットのうちの１つは、アクティブリンクの現行セットを置換するために使用されることになる可能性を有する、構築することと、リンクの選択された１つまたは複数のセット、およびアクティブリンクの現行セットのそれぞれに対して、パフォーマンス測定基準を評価することと、新しいアクティブリンクとして、最善のパフォーマンス測定基準を有するリンクの１つのセットを選択することとを含む。
【００２７】
好ましくは、決定された拡大されたＤＬＩＭに基づいて、リンクの１つまたは複数のセットを構築することは、アクティブリンクの現行セットの中の１つまたは複数のアクティブリンクを、１つまたは複数の候補リンクで置換して、リンクの１つまたは複数のセットのうちの１つのセットを構築することを含む。
【００２８】
好ましくは、決定された拡大されたＤＬＩＭに基づいて、リンクの１つまたは複数のセットを構築することは、アクティブリンクの現行セットから１つまたは複数のアクティブリンクを取り除き、リンクの１つまたは複数のセットのうちの１つのセットを構築することを含む。
【００２９】
好ましくは、決定された拡大されたＤＬＩＭに基づいて、リンクの１つまたは複数のセットを構築することは、１つまたは複数の候補リンクをアクティブリンクの現行セットに追加して、リンクの１つまたは複数のセットのうちの１つのセットを構築することを含む。
【００３０】
本開示の第２の態様によれば、制御ノードの制御下にある無線ノードにおいて使用される方法が提案される。無線ノードは、クライアント無線ノードをサーブする。方法は、クライアント無線ノードと別の無線ノードとの間の１つまたは複数の候補リンクを決定することを含む。１つまたは複数の候補リンクは、クライアント無線ノードと無線ノードとの間のアクティブリンク以外のものである。１つまたは複数の候補リンクのうちの１つは、アクティブリンクを置換するために確立されることになる可能性を有する。方法は、決定された１つまたは複数の候補リンクを示すための指標を、制御ノードに送信することと、アクティブリンクおよび決定された１つまたは複数の候補リンクのそれぞれに対するサウンディングおよびセンシング関連のパラメータを、制御ノードから受信することとをさらに含む。受信されたサウンディングおよびセンシング関連のパラメータは、リンクに対する専用のサウンディングおよびセンシング関連のパラメータ、ならびに決定された１つまたは複数の候補リンクのすべて、およびネットワークの制御下にあるすべてのアクティブリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔を含む。方法は、アクティブリンクおよび決定された１つまたは複数の候補リンクのそれぞれに対して、受信されたサウンディングおよびセンシング関連のパラメータに基づいて、リンクの方向にあるすべてのサウンディング信号をセンシングし、無線ノードがリンクの受信ノードとしてサーブするとき、１つまたは複数のセンシング結果を制御ノードに報告することをさらに含む。
【００３１】
好ましくは、方法は、無線ノードの１つまたは複数の隣接する無線ノードに対する測定値を、クライアント無線ノードから受信することをさらに含む。１つまたは複数の候補リンクは、受信された測定値に基づいて決定される。
【００３２】
好ましくは、１つまたは複数の候補リンクは、クライアント無線ノードの位置に基づいて決定される。
【００３３】
好ましくは、共通のサウンディングおよびセンシング関連のパラメータは、無線ノードがリンクの受信ノードとしてサーブするとき、サウンディング信号をセンシングした１つまたは複数の結果を、無線ノードが制御ノードに報告するためのルールをさらに含む。
【００３４】
好ましくは、方法は、無線ノードがリンクの送信ノードとしてサーブするとき、アクティブリンクおよび決定された１つまたは複数の候補リンクのそれぞれに対して、サウンディングおよびセンシング関連のパラメータに基づいて、リンクの方向にサウンディング信号を送信することをさらに含む。
【００３５】
好ましくは、アクティブリンクおよび決定された１つまたは複数の候補リンクのそれぞれに対する専用のサウンディングおよびセンシング関連のパラメータは、無線ノードがサウンディング信号を送信するためにリソースユニットを指定するための、サウンディングのリソースパラメータを含み、指定されたリソースユニットは、時間、周波数、およびコードのうちの少なくとも１つまたは複数に関わるものである。
【００３６】
本開示の第３の態様によれば、制御ノードが提案される。制御ノードは、制御ノードの制御下にあるすべてのアクティブリンクに対するＤＬＩＭに基づいて、１つまたは複数のクライアント無線ノードを選択するように設定された第１の選択ユニットを含む。１つまたは複数のクライアント無線ノードのそれぞれは、制御ノードの制御下にあるサーバ無線ノードによってサーブされ、１つまたは複数のクライアント無線ノードのそれぞれと、そのサーバ無線ノードとの間にアクティブリンクがある。制御ノードは、選択された１つまたは複数のクライアント無線ノードのそれぞれに対して、クライアント無線ノードと他の無線ノードとの間の１つまたは複数の候補リンクを決定するように設定された第１の決定ユニットをさらに含む。１つまたは複数の候補リンクは、クライアント無線ノードと、そのサーバ無線ノードとの間のアクティブリンク以外のものであり、１つまたは複数の候補リンクのうちの１つは、アクティブリンクを置換するために確立されることになる可能性を有する。制御ノードは、決定された候補リンクのそれぞれ、および制御ノードの制御下にあるすべてのアクティブリンクに対して、サウンディングおよびセンシング関連のパラメータのセットを決定するように設定された第２の決定ユニットをさらに含み、サウンディングおよびセンシング関連のパラメータの決定されたセットは、リンクに対する専用のサウンディングおよびセンシング関連のパラメータのセット、ならびに決定された候補リンクのすべて、および制御ノードの制御下にあるすべてのアクティブリンクに対する共通のサウンディングおよびセンシング関連のパラメータのセットを含む。共通のサウンディングおよびセンシング関連のパラメータのセットは、サウンディングおよびセンシングの期間、ならびにサウンディングおよびセンシングの間隔を含む。制御ノードは、決定された候補リンクのそれぞれ、およびすべてのアクティブリンクに対する、サウンディングおよびセンシング関連のパラメータの決定されたセットを、リンクの送信ノードおよび受信ノードに送信するように設定された送信ユニットをさらに含む。
【００３７】
本開示の第４の態様によれば、制御ノードの制御下にある無線ノードが提案される。無線ノードは、クライアント無線ノードをサーブする。無線ノードは、クライアント無線ノードと別の無線ノードとの間の１つまたは複数の候補リンクを決定するように設定された決定ユニットを含む。１つまたは複数の候補リンクは、クライアント無線ノードと無線ノードとの間のアクティブリンク以外のものであり、１つまたは複数の候補リンクのうちの１つは、アクティブリンクを置換するために確立されることになる可能性を有する。無線ノードは、決定された１つまたは複数の候補リンクを示す指標を、制御ノードに送信するように設定された送信ユニットをさらに含む。無線ノードは、アクティブリンクおよび決定された１つまたは複数の候補リンクのそれぞれに対するサウンディングおよびセンシング関連のパラメータを、制御ノードから受信するように設定された受信ユニットをさらに含む。受信されたサウンディングおよびセンシング関連のパラメータは、リンクに対する専用のサウンディングおよびセンシング関連のパラメータ、ならびに決定された１つまたは複数の候補リンクのすべて、およびネットワークの制御下にあるすべてのアクティブリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔を含む。無線ノードは、アクティブリンクおよび決定された１つまたは複数の候補リンクのそれぞれに対して、受信されたサウンディングおよびセンシング関連のパラメータに基づいて、リンクの方向にあるすべてのサウンディング信号をセンシングし、無線ノードがリンクの受信ノードとしてサーブするとき、１つまたは複数のセンシング結果を制御ノードに報告するように設定されたセンシングユニットをさらに含む。
【００３８】
本開示の第５の態様によれば、実行されるとき、１つまたは複数のコンピューティングデバイスに、第１の態様および第２の態様のどちらかの方法を実施させる命令を格納するコンピュータプログラム製品が提案される。
【００３９】
制御ノードの制御下にあるすべてのリンクに対する指向性サウンディングおよびセンシングのパラメータを調整することによって、例えば、アクティブリンクだけでなく、アクティブリンクを置換するために確立されることになる可能性を有する１つまたは複数の候補リンクも含むＭＭＷネットワークにおいて、すべてのリンクの受信ノードは、これらに対応する送信ノードが指向性サウンディング信号を送っているとき、指向性センシング状態にあってよい。これは、調整されたウィンドウ内部の干渉測定を容易にし、それによって、高利得ビーム形成から継承される空間的再使用の恩恵を効率的に実現しながら、干渉測定の効率を改善する。
【００４０】
本開示の前述のおよび他の特性は、添付の図面と併用され、以下の説明および添付の特許請求の範囲からより完全に明白になるであろう。これらの図面が、本開示によるいくつかの実施形態のみを描写し、したがって、本開示の範囲を限定するものと考慮されるべきではないことを理解しながら、本開示は、添付の図面を使用して、さらに具体的かつ詳細に説明される。
【図面の簡単な説明】
【００４１】
【図１】ＭＭＷのＲＡＴネットワークの１つの例を概略的に示す図である。
【図２】高利得ビーム形成の指向性によって引き起こされる見つけにくい問題の例を図示する図である。
【図３】高利得ビーム形成の指向性によって引き起こされる聞こえない問題の例を図示する図である。
【図４】４つのサブ帯域を有する１つのＭＭＷ−ＲＡＴキャリアを図示する図である。
【図５】ＭＭＷ−ＲＡＴネットワークにおける複雑な干渉状況の例を図示する図である。
【図６】本明細書における実施形態が実装されることがあるワイヤレス通信ネットワークの例を描写する図である。
【図７】本開示の実施形態による制御ノードにおいて実施される方法７００の流れ図を示す図である。
【図８】本開示の実施形態による一般的なサウンディングおよびセンシングのリソース割り当て構造を図示する図である。
【図９】本開示の実施形態によるリンクの受信ノードにおいて実施される方法９００の流れ図を示す図である。
【図１０】本開示の実施形態によるセンシングのリソース割り当て構造の例を図示する図である。
【図１１】本開示の実施形態によるリンクの送信ノードにおいて実施される方法１１００の流れ図を示す図である。
【図１２】本開示の実施形態によるサウンディングのリソース割り当て構造の例を図示する図である。
【図１３】本開示による例示的なＤＬＩＭを示す図を示す図である。
【図１４】本開示の実施形態による制御ノードにおいて使用される方法１４００の流れ図を示す図である。
【図１５】本開示によるいくつかの候補リンクが決定される例示的なシナリオを図示する図である。
【図１６】本開示によるステップＳ１４７０の詳細な実装形態を示す図である。
【図１７】本開示によるステップＳ１４７０の結果としての例示的なリンク配置を示す概略図を示す図である。
【図１８】本開示の実施形態による制御ノードの制御下にある無線ノードにおいて使用される方法１８００の流れ図を示す図である。
【図１９】本開示の実施形態による制御ノード１９００の概略ブロック図である。
【図２０】本開示の実施形態による制御ノードの制御下にある無線ノード２０００の概略ブロック図である。
【図２１】本開示による制御ノード１９００または無線ノード２０００において使用されることがある配置２１００の実施形態を概略的に示す図である。
【図２２】本開示によるＡＤＳＳのサブ機能性モジュール、およびプロトコル層に対するこれらの対応するマッピングを図示する図である。
【図２３】本開示による例示的な設定のシグナリングフローを概略的に図示する図である。
【図２４】本開示による例示的なセンシング結果のシグナリングフローを概略的に図示する図である。
【図２５】本開示によるスケジューリングベースのリソース割り当てに対する例示的なシグナリングフローを概略的に図示する図である。
【発明を実施するための形態】
【００４２】
以下に、本開示は、添付の図面に示された実施形態を参照しながら説明される。しかし、これらの説明は、例証的な目的のために提供されるにすぎず、本開示を限定するものではないことを理解されたい。さらに、以下において、既知の構造および技法の説明は、本開示の概念を必要以上にあいまいにしないように省略される。
【００４３】
本明細書において、アクティブリンクは、ここで、クライアント無線ノードとそのサーバ無線ノードとの間に実際に確立されたリンクのことを言う。例えば、ロングタームエボリューション（ＬＴＥ）システムにおいて、ＵＥが拡張ノードＢ（ｅＮＢ）に成功裏にアクセスするとき、アクティブリンクがＵＥとｅＮＢとの間に確立されると言われてよい。このようなアクティブリンクは、ＵＬまたはＤＬであってよい。アクティブリンクに対する候補リンクは、アクティブリンクを置換するために確立されることになる可能性を有し、まだ確立されていない潜在的なリンクのことを言う。候補リンクの送信ノードは、そのサウンディング信号を、候補リンクの方向に、対応する受信ノードに対して送信してよいが、本物のリンクは、送信ノードと受信ノードとの間に確立されていない。
【００４４】
以下に、リンクは、別途明示的に候補リンクとして示されない限り、簡素化するために、アクティブリンクのことを言う。
【００４５】
まず第１に、本開示は、例えば、ＭＭＷのＲＡＴネットワークにおけるリンクに対して、指向性サウンディングおよびセンシングのパラメータ（以下に、本ソリューションは、調整された指向性サウンディングおよびセンシング（ＡＤＳＳ）と呼ばれてよい）を調整することを提案する。
【００４６】
具体的に言うと、本開示は、それぞれのリンクペア（すなわち、リンクの送信機および受信機）の送信機を、時間−周波数の無線リソースパターンで、そのリンクの方向に、指向性サウンディングビームを送るように設定し、それに対応して、それぞれのリンクペアの受信機を、同じ時間−周波数の無線リソースパターンで、そのリンク方向にあるすべての可能性のあるサウンディング信号を指向的に監視するように設定する。それによって、すべてのリンクペアの受信機は、これらの対応する送信機が指向性サウンディング信号を送っているとき、指向性センシング状態にあってよい。このようにして、犠牲となるリンクペアおよび干渉するリンクペアは、精密に識別されることができ、相互の干渉レベルは、測定されることができる。すなわち、ＭＭＷのＲＡＴネットワークの効果的なリンク間の干渉マップ（ＤＬＩＭとも呼ばれる）は、導き出されることができる。このような測定情報は、リソース割り当て方式、例えば、時間、周波数、および送信電力リソースを拡張するために使用されてよい。
【００４７】
図６は、ＡＤＳＳが実装されることがあるワイヤレス通信ネットワークの例を描写する。ワイヤレス通信ネットワークは、中央制御装置（ＣＣＵ）６００、および（アクセスノード（ＡＮ）とも呼ばれる）複数の無線ノードを備え、そのうち、６つのＡＮが図６に描写される。ＣＣＵ６００は、ＬＴＥネットワーク、任意の第３世代パートナーシッププロジェクト（３ＧＰＰ）のセルラーネットワーク、ＭＷＶネットワーク、Ｗｉｍａｘネットワーク、ＷＬＡＮ／Ｗｉ−Ｆｉ、ＷＰＡＮ他などの、任意のワイヤレスシステムまたはセルラーネットワークにおける、ノードＢ、基地局（ＢＳ）、ｅＮＢ、ｅノードＢ、ホームノードＢ、ホームｅノードＢ、中継ノード、ＡＰ、またはＡＮ内のパラメータの設定および連携に対して、ならびにＡＮ内の無線リンクを制御すること対して少なくとも責任がある、任意の他の制御ノードもしくはネットワークノードであってよい。それぞれの無線ノードは、例えば、ワイヤレスデバイス、モバイルワイヤレス端末もしくはワイヤレス端末、携帯電話、ラップトップ、パーソナルデジタルアシスタント（ＰＤＡ）、もしくは時として、ファブレットと呼ばれ、ワイヤレス能力を有するタブレット型コンピュータなどのコンピュータ（前述の無線ノードは、一括してＵＥとして知られることがある）、ワイヤレス能力を有するセンサもしくはアクチュエータ、またはワイヤレス通信ネットワークにおける無線リンク上で通信できる任意の他の無線ネットワークユニットであってよい。本文書内で使用される用語「無線ノード」または「ＡＮ」は、マシン型通信（ＭＴＣ）デバイスとも表されるマシンツーマシン（Ｍ２Ｍ）デバイスなどの、他のワイヤレスデバイスもカバーすることに留意されたい。この例では、４つのＡＮが、ＡＰ、すなわち、ＡＰ６１０、ＡＰ６２０、ＡＰ６３０、およびＡＰ６４０として例示され、２つのＡＮが、ＵＥ、すなわち、ＵＥ６５０およびＵＥ６６０として例示される。その上、それぞれのＡＮは、異なる無線リンクにおける送信ノードまたは受信ノードのどちらかとしてみなされてよい。例えば、ＡＰ６１０がデータをＵＥ６５０に送信するリンクにおいて、ＡＰ６１０は送信ノードであり、ＵＥ６５０は受信ノードである。対照的に、ＡＰ６１０がデータをＵＥ６５０から受信するリンクにおいて、ＡＰ６１０は受信ノードであり、ＵＥ６５０は送信ノードである。別の言い方をすると、無線ノードまたはＡＮは、その役割に応じて、クライアント無線ノードまたはサーバ無線ノードのどちらかであってよい。例えば、無線ノードが、図６に示されるようなＵＥ６６０である場合、ＡＰ６２０は、そのサーバ無線ノードをサーブする。ＵＥは、ＵＥがホットポイントとしてサーブし、他のＵＥをサーブするとき、サーバ無線ノードの役割を果たすことがあることも可能である。このケースにおいて、サーバ無線ノードはＵＥであり、クライアント無線ノードは、ＵＥによってサーブされる他のＵＥであってよい。
【００４８】
図７は、本開示の実施形態による、制御ノード、例えば、図６におけるＣＣＵ６００において実施される方法７００の流れ図を示す。具体的に言うと、方法７００は、ネットワーク側でＡＤＳＳを実装するために使用される。
【００４９】
ステップＳ７１０において、制御ノードは、リンク、例えば、図６に示されるようなＡＰ６１０とＵＥ６５０との間の無線リンクに対するサウンディングおよびセンシング関連のパラメータを決定する。決定されたサウンディングおよびセンシング関連のパラメータは、リンクに対する専用のサウンディングおよびセンシング関連のパラメータ、ならびに制御ノードによって制御されるすべてのリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔（すなわち、サウンディングおよびセンシングのための継続時間）を含む。
【００５０】
実行可能な実装形態として、制御ノードは、例えば、リンクの終端、例えば、ＡＰ６１０またはＵＥ６５０他のどちらかからの、リンクのセットアップリクエストの受信時にサウンディングおよびセンシング関連のパラメータを決定してよい。
【００５１】
ステップＳ７２０において、制御ノードは、決定されたサウンディングおよびセンシング関連のパラメータを、リンクの送信ノードおよび受信ノードに送信する。例えば、図６に示されるように、送信ノードはＡＰ６１０であり、受信ノードはＵＥ６５０である。
【００５２】
１つの実装形態において、共通のサウンディングおよびセンシング関連のパラメータは、受信ノードがそのセンシング結果を制御ノードに報告するためのルールをさらに含んでよい。
【００５３】
別の実装形態において、リンクに対する専用のサウンディングおよびセンシング関連のパラメータは、送信ノードがサウンディング信号を送信するためにサウンディングのリソースエレメントを指定するための、サウンディングのリソースパラメータを含んでよい。指定されたサウンディングのリソースエレメントは、時間、周波数、およびコードのうちの少なくとも１つまたは複数に関わるものである。
【００５４】
別の実装形態において、方法７００は、以下のステップ（図示せず）、すなわち、制御ノードの制御下にあるすべてのリンクのすべての受信ノードから、１つまたは複数のセンシング結果を受信すること、受信された１つまたは複数のセンシング結果に基づいて、ＤＬＩＭを決定すること、および決定されたＤＬＩＭに基づいて、制御ノードによって制御されるすべてのリンク内のデータ送信のために、リソース割り当て方式またはリソース割り当て方針を決定することをさらに含んでよい。
【００５５】
方法７００による１つの大きな利点は、これらの隣接するリンクの送信ノードが指向性サウンディング信号を送っているとき、すべてのリンクペアの受信ノードは、指向性センシング状態にあってよいということである。これは、１つのリンクが、すべての干渉するリンクを識別し、これらの干渉するリンクからの干渉レベルを測定することを可能にし、このことに基づいて、ネットワークは、異なるリンク間の衝突を回避および／または制御しながら、周波数リソースの空間的再使用を効率的に改善できる。
【００５６】
図８は、本開示の実施形態による、一般的なサウンディングおよびセンシングのリソース割り当て構造を図示する。
【００５７】
図８に示されるように、指向性サウンディングおよびセンシングの期間（ＤＳＳＰ）は、サウンディングおよびセンシングの期間を表し、指向性サウンディングおよびセンシングの間隔（ＤＳＳＩ）は、サウンディングおよびセンシングの間隔、すなわち、サウンディングおよびセンシングに対するウィンドウ／継続時間を表す。ＤＳＳＰおよびＤＳＳＩは、制御ノードによって制御されるすべてのリンクに対する共通のサウンディングおよびセンシング関連のパラメータであり、制御ノードによって決定されてよい。
【００５８】
ＤＳＳＰおよびＤＳＳＩは、主に、時間領域に関わるものである。例えば、ＤＳＳＰおよびＤＳＳＩは両方、時間ウィンドウのことを指す。このケースにおいて、それぞれのリンクの送信ノードは、ＤＳＳＩによって規定された時間ウィンドウの間、リンクの方向にあるリンクの受信ノードに、サウンディング信号を送信してよく、受信ノードは、同じ時間ウィンドウの間、リンクの方向にあるすべてのサウンディング信号をセンシングする。それによって、リンク間の干渉、例えば、図５に示されるような、リンク５とリンク６との間のＤＬ−ＤＬ干渉は、効率的な手法でセンシングされてよい。
【００５９】
任意選択で、ＤＳＳＰおよびＤＳＳＩは、さらに、周波数領域に関わるものであってよい。例えば、ＤＳＳＩは、リンクの送信ノード／受信ノードによって使用されることになる１つまたは複数のサブ帯域をさらに規定してよい。
【００６０】
ＤＳＳＩの内部には、多くのサウンディングおよびセンシングリソースエレメントがあり、これらのうちいくつかは、専用のサウンディングおよびセンシング関連のパラメータを用いて、サウンディング信号を送信するためにリンクに割り当てられ、したがって、サウンディングリソースユニット（ＳＲＵ）と呼ばれる。１つのサウンディングおよびセンシングリソースエレメントは、時間、周波数、およびコードのうちの少なくとも１つまたは複数の観点から規定されてよい。例えば、１つのサウンディングおよびセンシングリソースエレメントは、直交シーケンスに加えて、１つの時間−周波数リソースユニットとして規定されてよい。これは、複数のサウンディング信号は、直交シーケンスを使用することによって、１つの時間−周波数ユニットに対して多重化されてよいことを意味する。
【００６１】
実際には、ＤＳＳＩの長さは、ネットワーク内のリンク密度に基づいて決定されてよく、ＤＳＳＰの長さは、ＴＸ／ＲＸ両方の方向変化およびＴＸ電力の変化を含む、リンクペアのＴＸ／ＲＸビームの変化を追跡するのに十分短くてよい。
【００６２】
例示的なＤＬＩＭは、図５を参照することによって説明され得る。図５に示されるように、ＤＬＩＭは、それぞれのリンク（リンクｉ、例えば、図５に示されるような、リンク１〜リンク６のうちの任意の１つ）の送信機からの受信されたサウンディング信号電力、およびサウンディング信号がリンク（リンクｉ）の受信機によって検出される他のリンクからの受信されたサウンディング信号強度を指示することができる。
【００６３】
ＤＬＩＭは、第１のリンクの送信機がかなりの干渉を第２のリンクの受信機にもたらすかどうかを識別してよい。かなりの干渉がもたらされている場合、干渉レベルおよび対応するリンクのアイデンティティは、ＤＬＩＭに含まれる。サウンディング信号（ＳＲＵ）および受信機から報告された対応する信号強度に応じて、制御ノードは、リンク、および受信機に対する対応する干渉レベルを識別してよい。
【００６４】
例えば、ＤＬＩＭは、受信機からの新しい指向性サウンディング報告の受信時、またはリンクのセットアップ／リンクの解放時に更新されてよい。
【００６５】
このようなＤＬＩＭで、本開示は、無線リソース割り当て（例えば、時間、周波数、およびＴＸ電力リソース）を拡張することができ、その結果、空間的再使用は、効率的になり、十分に改善されることができる。
【００６６】
図９は、本開示の実施形態による、図６に示されるような、ＡＰ６１０とＵＥ６５０との間の無線リンクなどの、リンクの受信ノードにおいて実施される方法９００の流れ図を示す。具体的に言うと、方法９００は、受信側でＡＤＳＳを実施するために使用される。このケースにおいて、受信ノードは、ＡＰ６１０またはＵＥ６５０であってよい。例証のために、ＵＥ６５０は、ここで、受信ノードとして受け取られ、それに対応して、ＡＰ６１０は、受信ノードに対する対応する送信ノードとしてサーブし、逆もまた同様である。
【００６７】
ステップＳ９１０において、ＵＥ６５０は、リンクに対するサウンディングおよびセンシング関連のパラメータを、制御ノード、例えば、図６におけるＣＣＵ６００から受信する。受信されたサウンディングおよびセンシング関連のパラメータは、リンクに対する専用のサウンディングおよびセンシング関連のパラメータ、ならびに制御ノードによって制御されるすべてのリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔を含む。
【００６８】
ステップＳ９２０において、ＵＥ６５０は、受信されたサウンディングおよびセンシング関連のパラメータに基づいて、リンクの方向にあるすべてのサウンディング信号をセンシングする。
【００６９】
ステップＳ９３０において、ＵＥ６５０は、１つまたは複数のセンシング結果を制御ノードに報告する。
【００７０】
１つの実装形態において、共通のサウンディングおよびセンシング関連のパラメータは、ＵＥ６５０が１つまたは複数のセンシング結果を制御ノードに報告するためのルールをさらに含む。
【００７１】
サウンディング間隔の間、すべての受信ノードは、そのリンク方向に対して盲目的に監視状態にあることになる。それぞれの受信ノードは、そのリンクの入ってくる方向にそのＲＸビームを向けることになる。１つのサウンディング期間中、ＲＸビームの調節のための余地をいくらか残すために、指向性センシングのためのＲＸビームは、実際にデータを受信するためのＲＸビームより広いことがある。
【００７２】
盲目的な検出を介して、受信ノードは、検出されたサウンディング信号のＳＲＵに関する情報を決定してよい。この情報は、干渉する可能性のある送信機の識別のために、制御ノードに報告されることになる。そのほかに、受信ノードは、それぞれの検出されたサウンディング信号の強度をさらに測定してよい。この測定結果は、ＣＣＵに報告されて、ＤＬＩＭを導き出すことになる、これは、干渉を制御するために、送信機のためのＴＸ電力に許される最大値、または干渉の連携パターンを決定するために使用されてよい。
【００７３】
図１０は、本開示の実施形態による、センシングのリソース割り当て構造の例を図示する。図１０に示されるように、それぞれの受信ノードは、ＤＳＳＩの間、すべてのＳＲＵに対して、そのリンク方向にあるすべての可能性のあるサウンディング信号をセンシングしてよい。
【００７４】
方法９００による１つの大きな利点は、受信ノードは、時間ウィンドウ内で、リンクの方向にあるすべてのサウンディング信号をセンシングでき、その間、隣接するリンクの送信ノードは、サウンディング信号を送信しているというものである。方法９００が２つの隣接するリンクに適用されるとき、これらの２つのリンクの間の干渉は、効率的な手法でセンシングされてよい。
【００７５】
図１１は、本開示の実施形態による、図６に示されるような、ＡＰ６１０とＵＥ６５０との間の無線リンクなどの、リンクの送信ノードにおいて実施される方法１１００の流れ図を示す。具体的に言うと、方法９００は、送信側でＡＤＳＳを実施するために使用される。このケースにおいて、送信ノードは、ＡＰ６１０またはＵＥ６５０であってよい。例証のために、ＡＰ６１０は、ここで、送信ノードとして受け取られ、それに対応して、ＵＥ６５０は、送信ノードに対する対応する受信ノードとしてサーブし、逆もまた同様である。
【００７６】
ステップＳ１１１０において、ＡＰ６１０は、リンクに対するサウンディングおよびセンシング関連のパラメータを、制御ノード、例えば、図６に示されるような、ＣＣＵ６００から受信する。受信されたサウンディングおよびセンシング関連のパラメータは、リンクに対する専用のサウンディングおよびセンシング関連のパラメータ、ならびに制御ノードによって制御されるすべてのリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔、例えば、図８に示されるような、ＤＳＳＰおよびＤＳＳＩを含む。
【００７７】
ステップＳ１１２０において、ＡＰ６１０は、サウンディングおよびセンシング関連のパラメータに基づいて、リンクの方向にサウンディング信号を送信する。
【００７８】
１つの実装形態において、リンクに対する専用のサウンディングおよびセンシング関連のパラメータは、送信ノードがサウンディング信号を送信するためにサウンディングのリソースエレメントを指定するための、サウンディングのリソースパラメータを含む。指定されたリソースユニットは、時間、周波数、およびコードのうちの少なくとも１つまたは複数に関わるものである。
【００７９】
図１２は、本開示の実施形態による、サウンディングのリソース割り当て構造の例を図示する。
【００８０】
図１２に示されるように、それぞれの送信ノードは、１つのＳＲＵで割り当てられてよく、制御ノード、例えば、図６に示されるような、ＣＣＵ６００によって制御される全体としてＭ個の送信機がある。任意選択で、それぞれのＳＲＵは、周波数の観点から規定されてもよい。例えば、それぞれのＳＲＵは、１つのサブ帯域を占有してよい。
【００８１】
方法１１００による１つの大きな利点は、送信ノードは、時間ウィンドウ内で、リンクの方向にサウンディング信号を送信でき、その間、送信ノード自体およびその隣接するリンクの受信ノードは、サウンディング信号をセンシングしているというものである。方法１１００が２つの隣接するリンクに適用されるとき、これらの２つのリンクの間の干渉は、効率的な手法でセンシングされてよい。
【００８２】
図１３は、本開示による、例示的なＤＬＩＭを図示する図を示す。例えば、ＤＬＩＭは、方法７００を使用して、図６におけるＣＣＵ６００などの、ＣＣＵによって決定されてよい。
【００８３】
ＣＣＵの制御下にある５つのアクティブリンクがあることが仮定される。このような仮定の下では、ＤＬＩＭは、これらの５つのアクティブリンクに対して決定される。図１３に示されるように、ＤＬＩＭは、ＵＥ２からＡＰ２へのリンクは、ＡＰ１からの強力な干渉を経験することを識別する。
【００８４】
ＵＥのリンク（ＵＬまたはＤＬのどちらか）が、別のリンクに対する干渉するリンクとして、または別のリンクの犠牲となるリンクとして識別されるとき、空間の方向変化（すなわち、空間的再使用を調節すること）は、高利得ビーム形成のケースにおける干渉を軽減する１つの有望な方法である。これは、隣接するＡＰがカバレッジが高比率で重複される超密度ネットワークに対して特に当てはまる。これは、必要なときに、空間の方向変化を調節する良い実現性を提供する。
【００８５】
しかし、空間の方向変化は、予測できない干渉状況をもたらすことがある。ＡＤＳＳの上記の概念により、ＡＤＳＳは、アクティブリンクに対して実施されるだけである。しかし、アクティブリンクに対して、リンクを置換するために確立されることになる可能性を有する１つまたは複数の候補リンクがあることがある。ＡＤＳＳは、ネットワークが、このような候補リンクに対する干渉状況（他への干渉および／または他からの干渉）を導き出すことは容認できない。
【００８６】
このような課題に向けて、本開示は、上記のＡＤＳＳを拡大し、空間的再使用の最適化のために、干渉が空間の指向性変化を認識するのをサポートすることをさらに提案する。以下に、拡大されたＡＤＳＳは、拡大された（または改善された）ＡＤＳＳと呼ばれてよい。
【００８７】
拡大されたＡＤＳＳの基本的なアイデアは、
１）ＡＤＳＳは、可能な場合、アクティブリンクと候補リンクの両方に対して実施されてよいこと、
２）拡大されたＤＬＩＭは、アクティブリンクすべての干渉状況と、候補リンクすべての予測された干渉状況の両方を含むように導き出されること、ならびに、
３）１つまたは複数の好ましい候補リンクは、別のリンクに対して／別のリンクから、かなりの干渉があるとき、拡大されたＤＬＩＭに基づいて、ＵＥの１つまたは複数のアクティブリンクを置換するために選択されてよいこと
にある。拡大されたＤＬＩＭにより、いくつかの最適なリンクは、空間的再使用のための一定の事前定義されたルールに従って、決定されてよい。
【００８８】
図１４は、本開示の実施形態による、制御ノード、例えば、図６におけるＣＣＵ６００において使用される方法１４００の流れ図を示す。具体的に言うと、方法１４００は、ネットワーク側で、拡大されたＡＤＳＳを実装するために使用される。
【００８９】
制御ノードは、１つまたは複数のクライアント無線ノードをサーブするサーバ無線ノードを制御する。サーバ無線ノードは、例えば、図６に描写されるような任意のＡＮであってよい。例えば、クライアント無線ノードがＵＥ６６０である場合、サーバ無線ノードはＡＰ６２０である。ＵＥがホットポイントとしてサーブし、他のＵＥをサーブするとき、ＵＥがサーバ無線ノードの役割を果たすことも可能である。図６に示されるようなＵＥ６６０を例にとると、このケースにおいて、ＵＥ６６０は、サーバ無線ノードであってよく、ＵＥ６６０によってサーブされる他のＵＥは、クライアント無線ノードであってよい。別の言い方をすると、サーバ無線ノードは、ここで、リンクの送信ノードまたは受信ノードのどちらか、アクティブリンクまたは候補リンクのどちらかであってよい。
【００９０】
ステップＳ１４１０において、制御ノードは、制御ノードの制御下にあるすべてのアクティブリンクに対するＤＬＩＭに基づいて、１つまたは複数のクライアント無線ノードを選択する。１つまたは複数のクライアント無線ノードのそれぞれは、制御ノードの制御下にあるサーバ無線ノードによってサーブされ、１つまたは複数のクライアント無線ノードのそれぞれと、そのサーバ無線ノードとの間にアクティブリンクがある。ＤＬＩＭは、ここで、制御ノードの制御下にあるすべてのアクティブリンクに対して意図されることに留意されたい。例として、ＤＬＩＭは、ここで、本開示による方法７００によって決定されてよい。
【００９１】
例えば、ＤＬＩＭは、図１３に図示されるようなＤＬＩＭであってよい。このような例において、制御ノード（すなわち、図示されるようなＣＣＵ）は、ＤＬＩＭによって識別された干渉状況に基づいて、ＵＥ１、ＵＥ２、ＵＥ３、ＵＥ４、またはＵＥ５などの、クライアント無線ノードのうちのいずれかを選択してよい。
【００９２】
拡大されたＡＤＳＳに対するクライアント無線ノードを選択するのに利用可能な様々な尺度がある。いくつかの例示的な実装形態が、例証のために説明される。本開示はこれに限定されないことが理解されよう。
【００９３】
第１の実装形態において、ステップＳ１４１０は、第１のクライアント無線ノードのアクティブリンクから第２のクライアント無線ノードのアクティブリンクへの干渉が、第１の所定の閾値を超過する場合、第１のクライアント無線ノードを選択することによって実装されてよい。例えば、図１３に示されるようなシナリオにおいて、ＤＬＩＭが、ＵＥ２のアクティブリンクからＵＥ５のアクティブリンクへの干渉が、第１の所定の閾値を超過することを識別する場合、ＵＥ２は、拡大されたＡＤＳＳのために選択されてよい。
【００９４】
第２の実装形態において、ステップＳ１４１０は、第１のクライアント無線ノードのアクティブリンクからの干渉強度と、第２のクライアント無線ノードのアクティブリンクの信号強度との間の比率が、第２の所定の閾値を超過する場合、第１のクライアント無線ノードを選択することによって実装されてよい。さらに図１３を例にとると、ＤＬＩＭが、ＵＥ２のアクティブリンクからの干渉強度と、ＵＥ５のアクティブリンクの信号強度との間の比率が、第２の所定の閾値を超過することを識別する場合、ＵＥ２は、拡大されたＡＤＳＳのために選択されてよい。
【００９５】
第３の実装形態において、ステップＳ１４１０は、第１のクライアント無線ノードのアクティブリンクから第２のクライアント無線ノードのアクティブリンクへの干渉が、第３の所定の閾値を超過し、第２のクライアント無線ノードのアクティブリンクの無線品質が、第４の所定の閾値より低い場合、第１のクライアント無線ノードを選択することによって実装されてよい。さらに図１３を例証のためにとると、ＤＬＩＭが、ＵＥ２のアクティブリンクからＵＥ５のアクティブリンクへの干渉が第３の所定の閾値を超過すること、およびＵＥ５のアクティブリンクの無線品質が第４の所定の閾値より低いことを識別する場合、ＵＥ２は、拡大されたＡＤＳＳのために選択されてよい。
【００９６】
第４の実装形態において、ステップＳ１４１０は、クライアント無線ノードのアクティブリンクにより経験される干渉が、第５の所定の閾値を超過する場合、クライアント無線ノードを選択することによって実装されてよい。図１３を例にとると、ＵＥ２からＡＰ２へのアクティブリンクにより経験される干渉が、第５の所定の閾値を超過する場合、ＵＥ２は、拡大されたＡＤＳＳのために選択されてよい。
【００９７】
第５の実装形態において、ステップＳ１４１０は、クライアント無線ノードのアクティブリンクのＳＮＲまたはＳＩＮＲが、第６の所定の閾値を下回る場合、クライアント無線ノードを選択することによって実装されてよい。図１３を例にとると、ＵＥ２からＡＰ２へのアクティブリンクのＳＮＲまたはＳＩＮＲが、第６の所定の閾値を下回る場合、ＵＥ２は、拡大されたＡＤＳＳのために選択されてよい。
【００９８】
第６の実装形態において、ステップＳ１４１０は、クライアント無線ノードのアクティブリンクのＳＮＲまたはＳＩＮＲが、第６の所定の閾値を下回り、クライアント無線ノードのアクティブリンクにより経験される干渉が、第５の所定の閾値を超過する場合、クライアント無線ノードを選択することによって実装されてよい。さらに図１３を例にとると、ＵＥ２からＡＰ２へのアクティブリンクのＳＮＲまたはＳＩＮＲが、第６の所定の閾値を下回り、ＵＥ２からＡＰ２へのアクティブリンクにより経験される干渉が、第５の所定の閾値を超過する場合、ＵＥ２は、拡大されたＡＤＳＳのために選択されてよい。
【００９９】
第７の実装形態において、ステップＳ１４１０は、サーバ無線ノードのトラフィック負荷が、第７の所定の閾値を超過するとき、クライアント無線ノードの選択を、そのサーバ無線ノードから受信することによって実装されてよい。図１３のシナリオにおいて、例えば、ＡＰ２が、ＵＥ２のトラフィック負荷が第７の所定の閾値を超過することを識別する場合、ＡＰ２は、ＵＥ２を選択してよく、拡大されたＡＤＳＳのためにこのことをＣＣＵに報告する。
【０１００】
第８の実装形態において、ステップＳ１４１０は、クライアント無線ノードをサーブするサーバ無線ノードのトラフィック負荷が、サーバ無線ノードの、１つの隣接する無線ノードのトラフィック負荷を超過する場合、クライアント無線ノードを選択することによって実装されてよい。さらに図１３を例にとると、ＣＣＵが、ＡＰ２のトラフィック負荷が、ＡＰ３またはＡＰ４などの、ＡＰ２の１つの隣接する無線ノードのトラフィック負荷を超過することを識別する場合、ＣＣＵは、拡大されたＡＤＳＳのためにＵＥ２を選択してよい。
【０１０１】
第１から第７の閾値のいずれかは、ネットワーク側で、または無線ノード側で事前設定されてよいことに留意されたい。
【０１０２】
ステップＳ１４２０において、制御ノードは、選択された１つまたは複数のクライアント無線ノードのそれぞれに対して、クライアント無線ノードと他の無線ノードとの間の１つまたは複数の候補リンクを決定する。候補リンクが無線ノード側で決定されることも可能であり、これは、あとで説明される。
【０１０３】
図１５は、本開示による、いくつかの候補リンクが決定される例示的なシナリオを図示する。
【０１０４】
図１５に示されるように、ＵＥ２は、拡大されたＡＤＳＳのために選択された。次に、制御ノードは、ＵＥ２からＡＰ２へのアクティブリンクを置換するために、２つの候補リンク、すなわち、ＵＥ２からＡＰ３への候補リンク、およびＵＥ２からＡＰ４への候補リンクを決定する。
【０１０５】
別の例として、ＵＥ４は、拡大されたＡＤＳＳのために選択された。このケースにおいて、制御ノードは、ＡＰ３からＵＥ４へのアクティブリンクを置換するために、１つの候補リンク、すなわち、ＡＰ４からＵＥ４への候補リンクを決定してよい。
【０１０６】
ステップＳ１４３０において、制御ノードは、すべてのアクティブリンクおよび決定された候補リンクすべてに対して拡大されたＡＤＳＳを適用する。ステップＳ１４３０は、主に、後者がアクティブリンクに集中する一方、前者は、アクティブリンクだけでなく、候補リンクにも向けられている点でステップＳ７１０と相違する。
【０１０７】
具体的に言うと、制御ノードは、決定された候補リンクのそれぞれ、および制御ノードの制御下にあるすべてのアクティブリンクに対して、サウンディングおよびセンシング関連のパラメータのセットを決定する。サウンディングおよびセンシング関連のパラメータの決定されたセットは、リンクに対する専用のサウンディングおよびセンシング関連のパラメータのセット、ならびに決定された候補リンクのすべて、および制御ノードの制御下にあるすべてのアクティブリンクに対する共通のサウンディングおよびセンシング関連のパラメータのセットを含む。共通のサウンディングおよびセンシング関連のパラメータのセットは、サウンディングおよびセンシングの期間、ならびにサウンディングおよびセンシングの間隔（すなわち、サウンディングおよびセンシングのための継続時間）を含む。例えば、サウンディングおよびセンシング関連のパラメータは、図１０および／または図１２によって図示されることがある。次に、サウンディングおよびセンシングの期間は、ＤＳＳＰと表されることがあり、サウンディングおよびセンシングの間隔は、ＤＳＳＩによって指示されることがある。
【０１０８】
１つの実装形態において、リンクに対する専用のサウンディングおよびセンシング関連のパラメータのセットは、送信ノードがサウンディング信号を送信するためにリソースユニットを指定するための、サウンディングのリソースパラメータを含み、指定されたリソースユニットは、時間、周波数、およびコードのうちの少なくとも１つまたは複数に関わるものである。例えば、指定されたリソースユニットは、ここで、図１０または図１２に示されるようなＳＲＵであってよい。
【０１０９】
ステップＳ１４４０において、制御ノードは、決定された候補リンクのそれぞれ、およびすべてのアクティブリンクに対する、サウンディングおよびセンシング関連のパラメータの決定されたセットを、リンクの送信ノードおよび受信ノードに送信する。
【０１１０】
任意選択で、方法１４００は、ステップＳ１４５０〜Ｓ１４７０をさらに含んでよい。ステップＳ１４５０において、制御ノードは、決定された候補リンクのすべて、および制御ノードの制御下にあるすべてのアクティブリンクのすべての受信ノードから、サウンディング信号をセンシングした１つまたは複数の結果を受信する。ステップＳ１４６０において、制御ノードは、受信された１つまたは複数のセンシング結果に基づいて、拡大されたＤＬＩＭを決定する。ステップＳ１４７０において、制御ノードは、選択された１つまたは複数のクライアント無線ノードの中の１つのクライアント無線ノードに対して、決定された拡大されたＤＬＩＭに基づいて、クライアント無線ノードの、対応する１つまたは複数の候補リンクから、１つの新しいアクティブリンクを選択する。
【０１１１】
ステップＳ１４７０は、任意選択で、図１６に図示されるような、ステップＳ１４７１、Ｓ１４７２、およびＳ１４７３を含んでよい。
【０１１２】
ステップＳ１４７１において、制御ノードは、決定された拡大されたＤＬＩＭに基づいて、リンクの１つまたは複数のセットを構築する。リンクの１つまたは複数のセットのうちの１つは、アクティブリンクの現行セット、例えば、図１５において、矢印のある実線として表されるリンクを置換するために使用されることになる可能性を有する。ステップＳ１４７２において、制御ノードは、リンクの選択された１つまたは複数のセット、およびアクティブリンクの現行セットのそれぞれに対して、パフォーマンス測定基準を評価する。ステップＳ１４７３において、制御ノードは、新しいアクティブリンクとして、最善のパフォーマンス測定基準を有するリンクの１つのセットを選択する。Ｇｒｅｅｄｙルールは、新しいアクティブリンクを選択するために使用されてよい。Ｇｒｅｅｄｙルールを利用することによって、新しいアクティブリンクを選択するのに利用可能な様々な例がある。Ｇｒｅｅｄｙルールは、主に、ステップＳ１４７１において具体化される。いくつかの例示的な実装形態が、例証のために説明される。本開示はこれらに限定されないことが理解されよう。
【０１１３】
１つの実装形態において、ステップＳ１４７１は、アクティブリンクの現行セットの中の１つまたは複数のアクティブリンクを、１つまたは複数の候補リンクで置換して、リンクの１つまたは複数のセットのうちの１つのセットを構築することによって実装されてよい。図１５に示されるようなシナリオを例にとると、アクティブリンクの現行セットは、矢印のある実線で表される。次に、このようなセットの中のアクティブリンクのうちの１つまたは複数は、（矢印のある一点鎖線で表される）１つまたは複数の候補リンクによって置換され、リンクの１つまたは複数のセットのうちの１つのセットを構築してよい。例えば、ＵＥ２からＡＰ２へのアクティブリンクは、ＵＥ２からＡＰ３への候補リンク、またはＵＥ２からＡＰ４への候補リンクのどちらかで置換されてよい。さらなる例として、ＡＰ３からＵＥ４へのアクティブリンクは、ＡＰ４からＵＥ４への候補リンクによって置換されてよい。
【０１１４】
別の実装形態において、ステップＳ１４７１は、アクティブリンクの現行セットから１つまたは複数のアクティブリンクを取り除き、リンクの１つまたは複数のセットのうちの１つのセットを構築することによって実装されてよい。図１５に示されるようなシナリオにおいて、アクティブリンクのうちの１つまたは複数は、アクティブリンクの現行セットから取り除かれ、リンクの１つまたは複数のセットのうちの１つのセットを構築してよい。例えば、ＡＰ１からＵＥ１へのアクティブリンクは、取り除かれてよい。
【０１１５】
さらに別の実装形態において、ステップＳ１４７１は、１つまたは複数の候補リンクをアクティブリンクの現行セットに追加して、リンクの１つまたは複数のセットのうちの１つのセットを構築することによって実装されてよい。
【０１１６】
パフォーマンス測定基準に対する様々な例があり、これらのうちのいくつかは、例証のために説明される。本開示はこれらに限定されないことが理解されよう。
【０１１７】
例として、パフォーマンス測定基準は、リンクのＳＩＮＲであってよい。この例では、制御ノードは、リンクの選択された１つまたは複数のセット、およびアクティブリンクの現行セットのそれぞれのＳＩＮＲを推定し、その後、リンクのＳＩＮＲ（の１つまたはセット）を最大化する１つの組合せを選択してよい。
【０１１８】
別の例として、パフォーマンス測定基準は、リンクの容量であってよい。このような例において、制御ノードは、リンクの選択された１つまたは複数のセット、およびアクティブリンクの現行セットのそれぞれの（シャノンの、またはＭＣＳ選択の知識による）容量を推定し、その後、リンクの容量（のうちの１つまたはセット）を最大化する１つの組合せを選択してよい。
【０１１９】
さらなる例として、ステップＳ１４７２において評価することは、それぞれの当該リンクのパフォーマンス測定基準を平均すること、例えば、線形化すること、または対数平均すること（ｌｏｇ−ａｖｅｒａｇｉｎｇ）、またはアルファフェアネス（Ａｌｐｈａ−ｆａｉｒｎｅｓｓ）、ミニマックス（ｍｉｎ−ｍａｘ）などの、一定の公平性の尺度を、それぞれの当該リンクのパフォーマンス測定基準他に適用することによって実装されてよい。
【０１２０】
代替として、ステップＳ１４７０は、１つのサーバ無線ノードによって同時にサーブされるクライアント無線ノードの数に応じて実装されてよい。よく知られているように、１つの無線ノードは、２つ以上のクライアント無線ノードを同時にサーブできるという可能性がある。このようなケースにおいて、これらのクライアント無線ノードは、リソースを共有する必要があり、個別のスループットが低くなるという結果をもたらすことがある。これを考慮して、１つのサーバ無線ノードによって同時にサーブされるクライアント無線ノードの数は、ステップＳ１４７０において考慮されてよい。すなわち、新しいアクティブリンクは、実際にデータを同時に移送できるアクティブリンクの全体的な数が最大になることを保証するために、利用可能なサーバ無線ノードの中のできるだけ多くのリンクを拡散させることを試行することによって選択されてよい。例えば、サーバ無線ノードが２つのクライアント無線ノードを同時にサーブする一方、別のサーバ無線ノードがクライアント無線ノードをサーブしない場合、それぞれのサーバ無線ノードが１つのクライアント無線ノードをサーブすることはより効率的なことがあり、その結果、２つのリンクは、１つの単一のサーバ無線ノードのリソースを共有せずに、データを並行して移送してよい。このようにして形成された新しいリンクは、新しいアクティブリンクとして選択されてよい。
【０１２１】
図１７は、本開示による、ステップＳ１４７０の結果としての例示的なリンク配置を図示する概略図を示す。
【０１２２】
図１７に示されるように、ＵＥ２からＡＰ３への候補リンク、およびＡＰ４からＵＥ４への候補リンクは、ＵＥ２からＡＰ２へのアクティブリンク、およびＡＰ３からＵＥ４へのアクティブリンクを置換するために、それぞれ選択される。
【０１２３】
方法１４００およびその様々な変形物による１つの大きな利点は、すべてのリンクの送信ノードが指向性サウンディング信号を送っているとき、（アクティブリンクだけでなく、個々の候補リンクも含む）すべてのリンクの受信ノードが、指向性センシング状態にあることである。これは、拡大されたＤＬＩＭをもたらすことがあり、例えば、図１７に図示される、より良いリンク配置を提供するために使用されてよい。このような拡大されたＤＬＩＭで、本開示は、高利得ビーム形成から継承される空間的再使用の恩恵を効率的に実現できる。
【０１２４】
図１８は、本開示の実施形態による、制御ノード、例えば、図６におけるＣＣＵ６００の制御下にある無線ノードにおいて使用される方法１８００の流れ図を示す。無線ノードは、少なくとも１つのクライアント無線ノードをサーブする。すなわち、無線ノードは、ここで、サーバ無線ノードの対応するクライアント無線ノードのサーバ無線ノードのことを言う。サーバ無線ノードは、例えば、図６に描写されるような任意のＡＮであってよい。例えば、クライアント無線ノードがＵＥ６６０である場合、サーバ無線ノードはＡＰ６２０である。ＵＥは、ＵＥがホットポイントとしてサーブし、他のＵＥをサーブするとき、サーバ無線ノードの役割を果たしてよいことも可能である。このケースにおいて、サーバ無線ノードはＵＥであり、クライアント無線ノードは、ＵＥによってサーブされる他のＵＥであってよい。別の言い方をすると、サーバ無線ノードは、ここで、リンクの送信ノードまたは受信ノードのどちらか、アクティブリンクまたは候補リンクのどちらかであってよい。
【０１２５】
ステップＳ１８１０において、サーバ無線ノードは、クライアント無線ノードと別の無線ノードとの間の１つまたは複数の候補リンク、例えば、図１５に示されるような、候補リンクを決定する。サーバ無線ノードは、例えば、クライアント無線ノードの位置に基づいて、１つまたは複数の候補リンクを決定してよい。例えば、サーバ無線ノードが、（例えば、全地球測位システム（ＧＰＳ）を使用して）クライアント無線ノードおよび隣接するサーバ無線ノードの空間内の場所を知っている場合、サーバ無線ノードは、クライアント無線ノードと、候補リンクを提供する可能性がある隣接するサーバ無線ノードとの間の距離を決定することができる。代替として、クライアント無線ノードは、クライアント無線ノード自体と、隣接するサーバ無線ノードとの間の推定される方向／距離をサーバ無線ノードに報告してよく、次いで適切な候補リンクのセットを決定する。閾値は、距離に適用され、無線ノードが非常に遠くに設置されることを回避してよい。
【０１２６】
サーバ無線ノードが、空間のダイバーシティ（例えば、角度のダイバーシティ）を適用することによって候補リンクを決定し、ビーム形成システム内の干渉を制限することも可能である。図１３に図示されるようなレイアウトを例証のために用い、ＵＥ２とＡＰ２との間にアクティブリンクがないと仮定すると、サーバ無線ノードが、ＵＥ２に対する２つの候補リンクを選択することになる場合、サーバ無線ノードは、ＵＥ２との候補リンクを形成するために、ＡＰ２、ＡＰ３、ＡＰ４、およびＡＰ５の中から選択することになる。図１３に図示されるように、リンク（ＵＥ２からＡＰ２）および（ＵＥ２からＡＰ５）は、空間内で密接に関連しており、したがって、これらは、リンク（ＡＰ１からＵＥ１）によって同様に干渉される。このことを考えて、例として、リンク（ＵＥ２からＡＰ２）および（ＵＥ２からＡＰ３）は、２つの候補リンクとして選択されてよい。これは、これらの２つのリンクは、最善の角度のダイバーシティを有し（すなわち、これらの間に最大角度があり）、それによって、リンク（ＡＰ１からＵＥ１）からの干渉は、これらの２つの候補リンクに対してとても様々に受信される。リンク（ＵＥ２からＡＰ２）および（ＵＥ２からＡＰ４）、またはリンク（ＵＥ２からＡＰ３）および（ＵＥ２からＡＰ４）を、２つの候補リンクとして選択することも可能である。
【０１２７】
ステップＳ１８２０において、サーバ無線ノードは、決定された１つまたは複数の候補リンクを示すための指標を、制御ノードに送信する。
【０１２８】
結果的に、ステップＳ１８１０およびＳ１８２０は、１つまたは複数の候補リンクを決定する観点から、方法１４００の変形物を形成する。具体的に言うと、方法１８００によって、１つまたは複数の候補リンクは、サーバ無線ノード側で決定されるが、方法１４００は、ネットワーク側で１つまたは複数の候補リンクを決定する。
【０１２９】
ステップＳ１８３０において、サーバ無線ノードは、アクティブリンクおよび決定された１つまたは複数の候補リンクのそれぞれに対するサウンディングおよびセンシング関連のパラメータを、制御ノードから受信する。受信されたサウンディングおよびセンシング関連のパラメータは、リンクに対する専用のサウンディングおよびセンシング関連のパラメータ、ならびに決定された１つまたは複数の候補リンクのすべて、およびネットワークの制御下にあるすべてのアクティブリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔を含む。このステップは、ステップＳ９１０またはＳ１１１０と同様の手法で実施されてよい。
【０１３０】
例えば、サウンディングおよびセンシング関連のパラメータは、図１０および／または図１２によって図示されることがある。次に、サウンディングおよびセンシングの期間は、ＤＳＳＰと表されてよく、サウンディングおよびセンシングの間隔は、ＤＳＳＩによって指示されてよい。
【０１３１】
１つの実装形態において、アクティブリンクおよび決定された１つまたは複数の候補リンクのそれぞれに対する専用のサウンディングおよびセンシング関連のパラメータは、無線ノードがサウンディング信号を送信するためにリソースユニットを指定するための、サウンディングのリソースパラメータを含み、指定されたリソースユニットは、時間、周波数、およびコードのうちの少なくとも１つまたは複数に関わるものである。例えば、指定されたリソースユニットは、ここで、図１０または図１２に示されるようなＳＲＵであってよい。
【０１３２】
１つの実装形態において、共通のサウンディングおよびセンシング関連のパラメータは、無線ノードがリンクの受信ノードとしてサーブするとき、サウンディング信号をセンシングした１つまたは複数の結果を、無線ノードが制御ノードに報告するためのルールをさらに含む。
【０１３３】
ステップＳ１８４０において、サーバ無線ノードは、アクティブリンクおよび決定された１つまたは複数の候補リンクのそれぞれに対して、受信されたサウンディングおよびセンシング関連のパラメータに基づいて、リンクの方向にあるすべてのサウンディング信号をセンシングし、無線ノードがリンクの受信ノードとしてサーブするとき、１つまたは複数のセンシング結果を制御ノードに報告する。このステップは、ステップＳ９２０と同様の手法で実施されてよい。
【０１３４】
方法１８００は、任意選択で、ステップＳ１８５０を含んでよい。ステップＳ１８５０において、サーバ無線ノードは、無線ノードの１つまたは複数の隣接する無線ノードに対する測定値を、クライアント無線ノードから受信する。受信された測定値を使用することによって、サーバ無線ノードは、１つまたは複数の候補リンクを決定してよい。
【０１３５】
方法１８００は、任意選択で、ステップＳ１８６０を含んでよい。ステップＳ１８６０において、サーバ無線ノードは、無線ノードがリンクの送信ノードとしてサーブするとき、アクティブリンクおよび決定された１つまたは複数の候補リンクのそれぞれに対して、サウンディングおよびセンシング関連のパラメータに基づいて、リンクの方向にサウンディング信号を送信する。このステップは、ステップＳ１１２０と同様の手法で実施されてよい。
【０１３６】
図１９は、本開示の実施形態による、制御ノード１９００の概略ブロック図である。制御ノード１９００は、例えば、図６に示されるようなＣＣＵ６００であってよい。当然、制御ノード１９００は、これに限定されないが、ＡＮ間のパラメータの設定および連携に対して、ならびに任意のワイヤレスシステムまたはセルラーネットワーク内のＡＮ間の無線リンクを制御することに対して責任がある、他の妥当なエンティティであってよい。
【０１３７】
図１９に示されるように、制御ノード１９００は、第１の選択ユニット１９１０、第１の決定ユニット１９２０、第２の決定ユニット１９３０、送信ユニット１９４０、受信ユニット１９５０、第３の決定ユニット１９６０、および第２の選択ユニット１９７０を含む。受信ユニット１９５０、第３の決定ユニット１９６０、および第２の選択ユニット１９７０は、任意選択である。
【０１３８】
第１の選択ユニット１９１０は、制御ノードの制御下にあるすべてのアクティブリンクに対するＤＬＩＭに基づいて、１つまたは複数のクライアント無線ノードを選択するように設定される。１つまたは複数のクライアント無線ノードのそれぞれは、制御ノードの制御下にあるサーバ無線ノードによってサーブされる。１つまたは複数のクライアント無線ノードのそれぞれと、そのサーバ無線ノードとの間にアクティブリンクがある。ＤＬＩＭは、ここで、制御ノードの制御下にあるすべてのアクティブリンクに対して意図されることに留意されたい。例として、ＤＬＩＭは、ここで、本開示による方法７００によって決定されてよい。例えば、ＤＬＩＭは、図１３に図示されるようなＤＬＩＭであってよい。このような例において、制御ノード（すなわち、図示されるようなＣＣＵ）は、ＤＬＩＭによって識別された干渉状況に基づいて、ＵＥ１、ＵＥ２、ＵＥ３、ＵＥ４、またはＵＥ５などのクライアント無線ノードのいずれかを選択してよい。
【０１３９】
１つの実装形態において、第１の選択ユニット１９１０は、第１のクライアント無線ノードのアクティブリンクから第２のクライアント無線ノードのアクティブリンクへの干渉が、第１の所定の閾値を超過する場合、第１のクライアント無線ノードを選択するようにさらに設定される。
【０１４０】
別の実装形態において、第１の選択ユニット１９１０は、第１のクライアント無線ノードのアクティブリンクからの干渉強度と、第２のクライアント無線ノードのアクティブリンクの信号強度との間の比率が、第２の所定の閾値を超過する場合、第１のクライアント無線ノードを選択するようにさらに設定される。
【０１４１】
さらに別の実装形態において、第１の選択ユニット１９１０は、第１のクライアント無線ノードのアクティブリンクから第２のクライアント無線ノードのアクティブリンクへの干渉が、第３の所定の閾値を超過し、第２のクライアント無線ノードのアクティブリンクの無線品質が、第４の所定の閾値より低い場合、第１のクライアント無線ノードを選択するようにさらに設定される。
【０１４２】
さらなる実装形態において、第１の選択ユニット１９１０は、クライアント無線ノードのアクティブリンクにより経験される干渉が、第５の所定の閾値を超過する場合、クライアント無線ノードを選択するようにさらに設定される。
【０１４３】
さらなる実装形態において、第１の選択ユニット１９１０は、クライアント無線ノードのアクティブリンクのＳＮＲまたはＳＩＮＲが、第６の所定の閾値を下回る場合、クライアント無線ノードを選択するようにさらに設定される。
【０１４４】
さらなる実装形態において、第１の選択ユニット１９１０は、クライアント無線ノードのアクティブリンクのＳＮＲまたはＳＩＮＲが、第６の所定の閾値を下回り、クライアント無線ノードのアクティブリンクにより経験される干渉が、第５の所定の閾値を超過する場合、クライアント無線ノードを選択するようにさらに設定される。
【０１４５】
別の実装形態において、第１の選択ユニット１９１０は、サーバ無線ノードのトラフィック負荷が第７の所定の閾値を超過するとき、クライアント無線ノードの選択をそのサーバ無線ノードから受信するようにさらに設定される。
【０１４６】
第１から第７の閾値のいずれかは、ネットワーク側で、または無線ノード側で事前に設定されてもよいことに留意されたい。
【０１４７】
さらに別の実装形態において、第１の選択ユニット１９１０は、クライアント無線ノードをサーブするサーバ無線ノードのトラフィック負荷が、サーバ無線ノードの、１つの隣接する無線ノードのトラフィック負荷を超過する場合、クライアント無線ノードを選択するようにさらに設定される。
【０１４８】
第１の決定ユニット１９２０は、選択された１つまたは複数のクライアント無線ノードのそれぞれに対して、クライアント無線ノードと他の無線ノードとの間の１つまたは複数の候補リンクを決定するように設定され、１つまたは複数の候補リンクは、クライアント無線ノードと、そのサーバ無線ノードとの間のアクティブリンク以外のものであり、１つまたは複数の候補リンクのうちの１つは、アクティブリンクを置換するために確立されることになる可能性を有する。例えば、図１５に図示されるように、第１の決定ユニット１９２０は、ＵＥ２からＡＰ２へのアクティブリンクを置換するために、２つの候補リンク、すなわち、ＵＥ２からＡＰ３への候補リンク、およびＵＥ２からＡＰ４への候補リンクを決定してよく、ＡＰ３からＵＥ４へのアクティブリンクを置換するために、１つの候補リンク、すなわち、ＡＰ４からＵＥ４への候補リンクを決定してよい。
【０１４９】
第２の決定ユニット１９３０は、すべてのアクティブリンクおよび決定された候補リンクすべてに対して、拡大されたＡＤＳＳを適用するように設定される。具体的に言うと、第２の決定ユニット１９３０は、決定された候補リンクのそれぞれ、および制御ノードの制御下にあるすべてのアクティブリンクに対して、サウンディングおよびセンシング関連のパラメータのセットを決定する。サウンディングおよびセンシング関連のパラメータの決定されたセットは、リンクに対する専用のサウンディングおよびセンシング関連のパラメータのセット、ならびに決定された候補リンクのすべて、および制御ノードの制御下にあるすべてのアクティブリンクに対する共通のサウンディングおよびセンシング関連のパラメータのセットを含む。共通のサウンディングおよびセンシング関連のパラメータのセットは、サウンディングおよびセンシングの期間、ならびにサウンディングおよびセンシングの間隔を含む。例えば、サウンディングおよびセンシング関連のパラメータは、図１０および／または図１２によって図示されてよい。次に、サウンディングおよびセンシングの期間は、ＤＳＳＰと表されてよく、サウンディングおよびセンシングの間隔は、ＤＳＳＩによって指示されてよい。
【０１５０】
１つの実装形態において、リンクに対する専用のサウンディングおよびセンシング関連のパラメータのセットは、送信ノードがサウンディング信号を送信するためにリソースユニットを指定するための、サウンディングのリソースパラメータを含み、指定されたリソースユニットは、時間、周波数、およびコードのうちの少なくとも１つまたは複数に関わるものである。例えば、指定されたリソースユニットは、ここで、図１０または図１２に示されるようなＳＲＵであってよい。
【０１５１】
送信ユニット１９４０は、決定された候補リンクのそれぞれ、およびすべてのアクティブリンクに対する、サウンディングおよびセンシング関連のパラメータの決定されたセットを、リンクの送信ノードおよび受信ノードに送信するように設定される。
【０１５２】
受信ユニット１９５０は、決定された候補リンクのすべて、および制御ノードの制御下にあるすべてのアクティブリンクのすべての受信ノードから、サウンディング信号をセンシングした１つまたは複数の結果を受信するように設定される。
【０１５３】
第３の決定ユニット１９６０は、受信された１つまたは複数のセンシング結果に基づいて、拡大されたＤＬＩＭを決定するように設定される。
【０１５４】
第２の選択ユニット１９７０は、選択された１つまたは複数のクライアント無線ノードの中の１つのクライアント無線ノードに対して、決定された拡大されたＤＬＩＭに基づいて、クライアント無線ノードの、対応する１つまたは複数の候補リンクから、１つの新しいアクティブリンクを選択するように設定される。
【０１５５】
任意選択で、第２の選択ユニット１９７０は、決定された拡大されたＤＬＩＭに基づいて、リンクの１つまたは複数のセットを構築するようにさらに設定される。リンクの１つまたは複数のセットのうちの１つは、アクティブリンクの現行セットを置換するために使用されることになる可能性を有する。次に、第２の選択ユニット１９７０は、リンクの選択された１つまたは複数のセット、およびアクティブリンクの現行セットのそれぞれに対して、パフォーマンス測定基準を評価することと、例えば、図１７に図示されるような、新しいアクティブリンクとして、最善のパフォーマンス測定基準を有するリンクの１つのセットを選択することとを行うようにさらに設定される。
【０１５６】
Ｇｒｅｅｄｙルールは、新しいアクティブリンクを選択するために使用されてよい。Ｇｒｅｅｄｙルールを利用することによって、新しいアクティブリンクを選択するのに利用可能な様々な例がある。いくつかの例示的な実装形態が、例証のために説明される。本開示はこれらに限定されないことが理解されよう。
【０１５７】
１つの実装形態において、第２の選択ユニット１９７０は、アクティブリンクの現行セットの中の１つまたは複数のアクティブリンクを、１つまたは複数の候補リンクで置換して、リンクの１つまたは複数のセットのうちの１つのセットを構築することによって、リンクの１つまたは複数のセットを構築してよい。図１５に示されるようなシナリオを例にとると、アクティブリンクの現行セットは、矢印のある実線で表される。次に、このようなセットの中のアクティブリンクのうちの１つまたは複数は、（矢印のある一点鎖線で表される）１つまたは複数の候補リンクによって置換され、リンクの１つまたは複数のセットのうちの１つのセットを構築してよい。例えば、ＵＥ２からＡＰ２へのアクティブリンクは、ＵＥ２からＡＰ３への候補リンクまたはＵＥ２からＡＰ４への候補リンクのどちらかと置換されてよい。さらなる例として、ＡＰ３からＵＥ４へのアクティブリンクは、ＡＰ４からＵＥ４への候補リンクによって置換されてよい。
【０１５８】
別の実装形態において、第２の選択ユニット１９７０は、アクティブリンクの現行セットから１つまたは複数のアクティブリンクを取り除き、リンクの１つまたは複数のセットのうちの１つのセットを構築することによって、リンクの１つまたは複数のセットを構築してよい。図１５に示されるようなシナリオにおいて、アクティブリンクのうちの１つまたは複数は、アクティブリンクの現行セットから取り除かれ、リンクの１つまたは複数のセットのうちの１つのセットを構築してよい。例えば、ＡＰ１からＵＥ１へのアクティブリンクは、取り除かれてよい。
【０１５９】
さらに別の実装形態において、第２の選択ユニット１９７０は、１つまたは複数の候補リンクをアクティブリンクの現行セットに追加して、リンクの１つまたは複数のセットのうちの１つのセットを構築することによって、リンクの１つまたは複数のセットを構築してよい。
【０１６０】
本開示における２つ以上の異なるユニットは、論理的にまたは物理的に組み合わされてよいことに留意されたい。例えば、第１、第２、および第３の決定ユニットは、１つの単一のユニットとして組み合わされてよい。また、第１および第２の選択ユニットは、１つの単一のユニットとして組み合わされてよい。
【０１６１】
図２０は、本開示の実施形態による、制御ノード、例えば、図６におけるＣＣＵ６００の制御下にある無線ノード２０００の概略ブロック図である。無線ノード２０００は、クライアント無線ノードをサーブする。すなわち、無線ノード２０００は、ここで、サーバ無線ノードに対応するクライアント無線ノードのサーバ無線ノードのことを言う。無線ノード２０００は、例えば、図６に描写されるような任意のＡＮであってよい。例えば、クライアント無線ノードがＵＥ６６０の場合、無線ノード２０００は、ＡＰ６２０のことを言う。ＵＥは、ＵＥがホットポイントとしてサーブし、他のＵＥをサーブするとき、サーバ無線ノードの役割を果たしてよいことも可能である。このケースにおいて、無線ノード２０００はＵＥであり、クライアント無線ノードは、ＵＥによってサーブされる他のＵＥであってよい。別の言い方をすると、無線ノード２０００は、ここで、リンクの送信ノードまたは受信ノードのどちらか、アクティブリンクまたは候補リンクのどちらかであってよい。
【０１６２】
図２０に示されるように、無線ノード２０００は、決定ユニット２０１０、送信ユニット２０２０、受信ユニット２０３０、およびセンシングユニット２０４０を含む。
【０１６３】
決定ユニット２０１０は、クライアント無線ノードと別の無線ノードとの間の１つまたは複数の候補リンク、例えば、図１５に示されるような候補リンクを決定するように設定される。例えば、決定ユニット２０１０は、クライアント無線ノードの位置に基づいて、１つまたは複数の候補リンクを決定してよい。
【０１６４】
送信ユニット２０２０は、決定された１つまたは複数の候補リンクを示す指標を、制御ノードに送信するように設定される。
【０１６５】
受信ユニット２０３０は、アクティブリンクおよび決定された１つまたは複数の候補リンクのそれぞれに対するサウンディングおよびセンシング関連のパラメータを、制御ノードから受信するように設定される。受信されたサウンディングおよびセンシング関連のパラメータは、リンクに対する専用のサウンディングおよびセンシング関連のパラメータ、ならびに決定された１つまたは複数の候補リンクのすべて、およびネットワークの制御下にあるすべてのアクティブリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔を含む。
【０１６６】
１つの実装形態において、アクティブリンクおよび決定された１つまたは複数の候補リンクのそれぞれに対する専用のサウンディングおよびセンシング関連のパラメータは、無線ノードがサウンディング信号を送信するためにリソースユニットを指定するための、サウンディングのリソースパラメータを含み、指定されたリソースユニットは、時間、周波数、およびコードのうちの少なくとも１つまたは複数に関わるものである。例えば、指定されたリソースユニットは、ここで、図１０または図１２に示されるようなＳＲＵであってよい。
【０１６７】
１つの実装形態において、共通のサウンディングおよびセンシング関連のパラメータは、無線ノードがリンクの受信ノードとしてサーブするとき、サウンディング信号をセンシングした１つまたは複数の結果を、無線ノードが制御ノードに報告するためのルールをさらに含む。
【０１６８】
センシングユニット２０４０は、アクティブリンクおよび決定された１つまたは複数の候補リンクのそれぞれに対して、受信されたサウンディングおよびセンシング関連のパラメータに基づいて、リンクの方向にあるすべてのサウンディング信号をセンシングし、無線ノードがリンクの受信ノードとしてサーブするとき、１つまたは複数のセンシング結果を制御ノードに報告するように設定される。
【０１６９】
任意選択で、受信ユニット２０３０は、無線ノードの１つまたは複数の隣接する無線ノードに対する測定値を、クライアント無線ノードから受信するようにさらに設定される。受信された測定値を使用することによって、決定ユニット２０１０は、１つまたは複数の候補リンクを決定してよい。
【０１７０】
任意選択で、送信ユニット２０２０は、無線ノードがリンクの送信ノードとしてサーブするとき、アクティブリンクおよび決定された１つまたは複数の候補リンクのそれぞれに対して、サウンディングおよびセンシング関連のパラメータに基づいて、リンクの方向にサウンディング信号を送信するようにさらに設定される。
【０１７１】
本開示における２つ以上の異なるユニットは、論理的にまたは物理的に組み合わされてよいことに留意されたい。例えば、送信ユニット２０２０および受信ユニット２０３０は、１つの単一のユニットとして組み合わされてよい。
【０１７２】
図２１は、本開示による、制御ノード１９００または無線ノード２０００において使用されることがある配置２１００の実施形態を概略的に示す。
【０１７３】
ここで、例えば、デジタル信号プロセッサ（ＤＳＰ）を有する処理ユニット２１０６が、配置２１００内に備えられる。処理ユニット２１０６は、本明細書で説明された手順の異なるアクションを実施するための、単一のユニットまたは複数のユニットであってよい。配置２１００は、他のエンティティから信号を受信するための入力ユニット２１０２、および他のエンティティに信号を提供するための出力ユニット２１０４も備えてよい。入力ユニットおよび出力ユニットは、統合されたエンティティ、または図１９もしくは図２０の例に図示されるように配置されてよい。
【０１７４】
その上、配置２１００は、不揮発性または揮発性メモリ、例えば、電気的消去可能プログラマブルリードオンリメモリ（ＥＥＰＲＯＭ）、フラッシュメモリ、およびハードドライブの形で、少なくとも１つのコンピュータプログラム製品２１０８を備えてよい。コンピュータプログラム製品２１０８は、コード／コンピュータ可読命令を備えるコンピュータプログラム２１１０を備え、この命令は、配置２１００内の処理ユニット２１０６によって実行されるとき、配置２１００および／または配置２１００が備えられたサーバ無線ノードまたは制御ノードに、例えば、図１４または図１８と共に、以前に説明された手順のアクションを実施させる。
【０１７５】
コンピュータプログラム２１１０は、コンピュータプログラムのモジュール２１１０Ａ〜２１１０Ｈまたは２０１０Ｉ〜２１１０Ｍ内に構造化されたコンピュータプログラムコードとして設定されてよい。
【０１７６】
このような訳で、配置２１００が、無線ノード２０００において使用されるときの例示の実施形態において、配置２１００のコンピュータプログラム内のコードは、制御ノードの制御下にあるすべてのアクティブリンクに対するＤＬＩＭに基づいて、１つまたは複数のクライアント無線ノードを選択するために、第１の選択モジュール２１１０Ａを含む。１つまたは複数のクライアント無線ノードのそれぞれは、制御ノードの制御下にあるサーバ無線ノードによってサーブされる。コンピュータプログラム２１１０内のコードは、選択された１つまたは複数のクライアント無線ノードのそれぞれに対して、クライアント無線ノードと他の無線ノードとの間の１つまたは複数の候補リンクを決定するために、第１の決定モジュール２１１０Ｂをさらに含む。コンピュータプログラム２１１０内のコードは、決定された候補リンクのそれぞれ、および制御ノードの制御下にあるすべてのアクティブリンクに対して、サウンディングおよびセンシング関連のパラメータのセットを決定するために、第２の決定モジュール２１１０Ｃをさらに含む。コンピュータプログラム２１１０内のコードは、決定された候補リンクのそれぞれ、およびすべてのアクティブリンクに対する、サウンディングおよびセンシング関連のパラメータの決定されたセットを、リンクの送信ノードおよび受信ノードに送信するために、送信モジュール２１１０Ｄをさらに含む。任意選択で、コンピュータプログラム２１１０内のコードは、決定された候補リンクのすべて、および制御ノードの制御下にあるすべてのアクティブリンクのすべての受信ノードから、サウンディング信号をセンシングした１つまたは複数の結果を受信するために、受信モジュール２１１０Ｅをさらに含む。任意選択で、コンピュータプログラム２１１０内のコードは、受信された１つまたは複数のセンシング結果に基づいて、拡大されたＤＬＩＭを決定するために、第３の決定モジュール２１１０Ｆをさらに含む。任意選択で、コンピュータプログラム２１１０内のコードは、選択された１つまたは複数のクライアント無線ノードの中の１つのクライアント無線ノードに対して、決定された拡大されたＤＬＩＭに基づいて、クライアント無線ノードの、対応する１つまたは複数の候補リンクから、１つの新しいアクティブリンクを選択するために、第２の選択モジュール２１１０Ｇをさらに含む。コンピュータプログラム２１１０内のコードは、例えば、制御ノードの動作と関連付けられた他の関連手順を制御および実施するために、モジュール２１１０Ｈとして図示された、さらなるモジュールを備えてよい。例えば、無線ノードがＣＣＵであるとき、モジュール２１１０Ｈは、ＣＣＵの動作と関連付けられた他の関連手順を制御および実施してよい。
【０１７７】
配置２１００が無線ノード２０００内で使用されるときの別の例示の実施形態において、配置２１００のコンピュータプログラム内のコードは、クライアント無線ノードと別の無線ノードとの間の１つまたは複数の候補リンクを決定するために、決定モジュール２１１０Ｉを含む。コンピュータプログラム内のコードは、決定された１つまたは複数の候補リンクを示す指標を、制御ノードに送信するために、送信モジュール２１１０Ｊをさらに含む。コンピュータプログラム内のコードは、アクティブリンクおよび決定された１つまたは複数の候補リンクのそれぞれに対するサウンディングおよびセンシング関連のパラメータを、制御ノードから受信するために、受信モジュール２１１０Ｋをさらに含む。コンピュータプログラム内のコードは、アクティブリンクおよび決定された１つまたは複数の候補リンクのそれぞれに対して、受信されたサウンディングおよびセンシング関連のパラメータに基づいて、リンクの方向にあるすべてのサウンディング信号をセンシングし、無線ノードがリンクの受信ノードとしてサーブするとき、１つまたは複数のセンシング結果を制御ノードに報告するために、センシングモジュール２１１０Ｌをさらに含む。コンピュータプログラム２１１０内のコードは、例えば、無線ノードの動作と関連付けられた他の関連手順を制御および実施するために、モジュール２１１０Ｍとして図示された、さらなるモジュールを備えてよい。例えば、無線ノードがＢＳであるとき、モジュール２１１０Ｍは、ＢＳの動作と関連付けられた他の関連手順を制御および実施してよい。
【０１７８】
コンピュータプログラムのモジュールは、本質的に、制御ノード１９００をエミュレートするために、図１４に図示されたフローのアクションを、または無線ノード２０００をエミュレートするために、図１８に図示されたフローのアクションを実施することがある。言い換えると、異なるコンピュータプログラムのモジュールが処理ユニット２１０６内で実行されるとき、これらのモジュールは、例えば、図１９のユニット１９１０〜１９７０に、または図２０のユニット２０１０〜２０４０に対応してよい。
【０１７９】
図２１と共に上記で開示された実施形態におけるコード手段は、処理ユニット内で実行されるとき、配置に、上記で述べられた図と共に上記で説明されたアクションを実施させるコンピュータプログラムのモジュールとして実装されるが、コード手段のうちの少なくとも１つは、代替実施形態において、ハードウェア回路として少なくとも部分的に実装されてよい。
【０１８０】
プロセッサは、単一のＣＰＵ（中央処理装置）であってよいが、２つ以上の処理ユニットを備えることもある。例えば、プロセッサは、汎用マイクロプロセッサ、命令セットプロセッサおよび／もしくは関連チップセットならびに／または特定用途向け集積回路（ＡＳＩＣ）などの専用マイクロプロセッサを含んでよい。プロセッサは、キャッシュ目的の基板メモリを備えてもよい。コンピュータプログラムは、プロセッサに接続されたコンピュータプログラム製品によって搬送されてよい。コンピュータプログラム製品は、コンピュータプログラムが格納されるコンピュータ可読媒体を備えてよい。例えば、コンピュータプログラム製品は、フラッシュメモリ、ランダムアクセスメモリ（ＲＡＭ）、リードオンリメモリ（ＲＯＭ）、またはＥＥＰＲＯＭであってよく、上記で説明されたコンピュータプログラムのモジュールは、代替実施形態において、無線ノードまたは制御ノード内部のメモリの形で、異なるコンピュータプログラム製品に配布されることがある。
【０１８１】
本開示は、（以下に、ＡＤＳＳの機能性とも呼ばれる）ＡＤＳＳ関連の機能を、システムプロトコル層、および関連シグナリングフローにマップすることをさらに提案する。当技術分野でよく知られるように、（以下に、単純に「プロトコル層」と呼ばれる）システムプロトコル層は、例えば、無線リソース制御（ＲＲＣ）層、パケットデータコンバージェンスプロトコル（ＰＤＣＰ）層、メディアアクセス制御（ＭＡＣ）層、物理（ＰＨＹ）層他を含んでよい。
【０１８２】
ＡＤＳＳの機能性は、例えば、上記で例示されたような、方法７００、方法９００、方法１１００、方法１４００、および／または方法１８００によって実装される機能を含んでよい。また、ＡＤＳＳの機能性は、上記で例示されたような、制御ノード１９００、無線ノード２０００、および／または配置２１００によって実施される機能を含んでよい。
【０１８３】
本開示によれば、ＡＤＳＳの機能性は、異なる責任に対応し、異なるプロトコル層にマップされる、複数のＡＤＳＳのサブ機能性モジュールによって実装されてよい。
【０１８４】
図２２は、本開示による、ＡＤＳＳのサブ機能性モジュール、およびプロトコル層に対する、ＡＤＳＳのサブ機能性モジュールの対応するマッピングを図示する。
【０１８５】
示されるように、本開示による全体のＡＤＳＳの機能性は、ＣＣＵ、それぞれのサービング無線ノード（例えば、図６におけるＡＰ６２０）のＲＲＣ層およびＭＡＣ層、ならびにサービング無線ノードのクライアント無線ノード（例えば、図６におけるＵＥ６６０）のＲＲＣ層およびＭＡＣ層に分散されてよい。それぞれのプロトコル層にマップされたＡＤＳＳの機能性は、複数のサブ機能性モジュールにさらに分割されてよい。
【０１８６】
ＣＣＵにおいて、ＡＤＳＳの機能性は、ＣＣＵのＡＤＳＳマネージャによって実装され、ＣＣＵのＡＤＳＳマネージャは、３つのサブ機能性モジュール、すなわち、図２２に図示されるような、設定マネージャ、ＤＬＩＭマネージャ、およびリソース割り当てマネージャを含む。
【０１８７】
設定マネージャは、ＣＣＵの制御下にあるそれぞれのＡＰまたはそれぞれのリンクに対する、サウンディングおよびセンシング関連の設定を管理してよい。サウンディングおよびセンシング関連の設定は、
ＤＳＳＰの開始ポイントおよび長さ、ＤＳＳＩの開始ポイントおよび長さ、ＤＳＳＩのパターン、
例えば、図１２に示されるような、ＳＲＵがそれぞれのリンクに対して設定される方法に関する設定、または、
例えば、報告のタイミング、報告フォーマット、および他を含む、受信ノードがそのセンシング結果をＣＣＵに報告するためのルールに関する設定
のうちの少なくとも１つを含んでよい。
【０１８８】
例えば、設定マネージャは、図７におけるステップＳ７１０または図１４におけるステップＳ１４３０を実施してよい。また、設定マネージャは、図１９における第２の決定ユニット１９３０として機能してよい。
【０１８９】
ＤＬＩＭマネージャは、ＤＬＩＭを導き出してよい。具体的に言うと、これは、以下のように行われてよい。第１に、ＤＬＩＭマネージャは、すべてのリンク受信機（すなわち、受信ノード）からセンシング結果を収集する。センシング結果は、測定報告を介してＣＣＵに報告されてよい。第２に、ＤＬＩＭマネージャは、センシング結果を評価し、個々のリンク間の干渉の関係を決定する。第３に、ＤＬＩＭマネージャは、干渉の関係に基づいてＤＬＩＭを導き出し、リソースマネージャにＤＬＩＭを出力する。任意選択で、ＤＬＩＭマネージャは、最も新しいセンシング結果に基づいてＤＬＩＭを更新してよい。
【０１９０】
例えば、ＤＬＩＭマネージャは、方法７００におけるＤＬＩＭの決定を実施してよい。また、ＤＬＩＭマネージャは、図１４におけるステップＳ１４６０を実施するか、または図１９における第３の決定ユニット１９６０として機能してよい。
【０１９１】
リソースマネージャは、リソース割り当て関連の設定および適応を決定してよい。例えば、リソース割り当て関連の設定および適応は、スケジューリングベースのリソース割り当てに対するリソーステンプレートの割り当て、干渉軽減のための、干渉するリンクおよび／もしくは犠牲となるリンクに対するリソーステンプレートの調節、対応するノードに対する干渉軽減アクションの決定および対応する命令の生成、または衝突回避向上のための争奪関連の設定の調節を含んでよいが、限定されない。
【０１９２】
対応するノードに対する干渉軽減アクションの決定および対応する命令の生成は、
干渉軽減のための、干渉するリンクおよび／もしくは犠牲となるリンクに対するリンクリダイレクションの調節、ならびに／または、
協調されたスケジューリング、ならびに／または、
協調されたビーム形成、ならびに／または、
協調された空白化（ｂｌａｎｋｉｎｇ）、他
を含んでよい。
【０１９３】
例えば、リソースマネージャは、図１４におけるステップＳ１４１０またはステップＳ１４２０を実施してよい。また、リソースマネージャは、図１９における第１の選択ユニット１９１０または第１の決定ユニット１９２０として機能してよい。
【０１９４】
ＡＰにおいて、ＡＤＳＳの機能性は、ＲＲＣ層およびＭＡＣ層に分散されてよい。具体的に言うと、ＡＰ側におけるＡＤＳＳの機能性は、ＡＤＳＳのＲＲＣモジュールおよびＡＤＳＳのＭＡＣモジュールによって実装されてよい。
【０１９５】
ＲＲＣ層において、ＡＤＳＳのＲＲＣモジュールは、リンク固有のサウンディングのリソース割り当ておよび適応のために使用されてよい。ＡＤＳＳのＲＲＣモジュールは、ＳＲＵマネージャおよびＲＲＣのＡＤＳＳマネージャを含んでよい。ＳＲＵマネージャは、ＳＲＵのリソースを管理する。言い換えると、ＳＲＵマネージャは、設定されたＤＳＳＩのパターンに従って、それぞれのリンクに対するＳＲＵのリソースの割り当てを管理してよい。ＲＲＣのＡＤＳＳマネージャは、サウンディングのリソースの輻輳時に、リンク固有のＡＤＳＳの設定ポリシを調節し、指向性サウンディングおよびセンシングの報告を管理してよい。
【０１９６】
例えば、ＡＤＳＳのＲＲＣモジュールは、図１８におけるステップＳ１８１０を実施してよい。また、ＡＤＳＳのＲＲＣモジュールは、図２０における決定ユニット２０１０として機能してよい。
【０１９７】
ＭＡＣ層において、ＡＤＳＳのＭＡＣモジュールは、ＡＤＳＳを実施するため、およびＡＰ側におけるＡＤＳＳのＲＲＣモジュールなどの、より高い層のＡＤＳＳモジュールからの命令に従って、リソースを使用するために使用される。ＡＤＳＳのＭＡＣモジュールは、ＡＤＳＳのエグゼキュータおよびリソース割り当てのエグゼキュータを含んでよい。ＡＤＳＳのエグゼキュータは、ＴＸリンクに対して割り当てられたＳＲＵで送信機のために指向性サウンディング信号の送信を決定し、ＲＸリンクに対して指向性センシングを実施する。リソース割り当てのエグゼキュータは、リソース割り当て、または上位のユニットからのリソース割り当ての方針に従って、データの送信および受信を決定する。例えば、１つのリンクにトラフィックが到達している場合、リソース割り当てのエグゼキュータは、ＣＣＵのリソースマネージャから受信されたスケジューリングテンプレートに基づいて、リソースをスケジュールしてよい。さらに、リソース割り当てのエグゼキュータは、設定されたポリシおよびパラメータに従って、サウンディングのリソース使用率をＣＣＵに報告してよい。
【０１９８】
例として、ＡＤＳＳのエグゼキュータは、図９におけるステップＳ９２０、または図１１におけるステップＳ１１２０、または図１８におけるステップＳ１８４０もしくはＳ１８６０を実施してよい。また、設定マネージャは、図２０におけるセンシングユニット２０４０、または図２０における送信ユニット２０２０として機能してよい。
【０１９９】
クライアント無線ノードにおいて、対応するピアであるＡＤＳＳのプロトコルエンティティ、すなわち、ＲＲＣ層におけるＡＤＳＳのＲＲＣモジュール、およびＭＡＣ層におけるＡＤＳＳのＭＡＣモジュールがある。
【０２００】
ＡＤＳＳのＲＲＣモジュールは、サービングＡＰから、ピアであるＡＤＳＳのＲＲＣモジュールからの設定を受信し、ローカルなＡＤＳＳの機能性モジュールを設定してよい。そのほかに、ＡＤＳＳのＲＲＣモジュールは、クライアント無線ノードがリンクの受信ノードとしてサーブする場合、センシング結果を生成してもよい。
【０２０１】
例えば、クライアント無線ノード内のＡＤＳＳのＲＲＣモジュールは、図９におけるステップＳ９１０または図１１におけるステップＳ１１１０を実施してよい。クライアント無線ノードがリンクの受信ノードとしてサーブする場合、クライアント無線ノード内のＡＤＳＳのＲＲＣモジュールは、図９におけるステップＳ９３０を実施してもよい。
【０２０２】
ＡＤＳＳのＭＡＣモジュールは、クライアント無線ノードがリンクの送信ノードとしてサーブする場合、指向性サウンディング信号の送信をスケジュールしてよく、クライアント無線ノードがリンクの受信ノードとしてサーブする場合、指向性センシング信号の受信をスケジュールしてよい。その上、クライアント無線ノードが受信ノードとしてサーブする場合、クライアント無線ノードのＡＤＳＳのＭＡＣモジュールは、センシング結果を生成し、設定に従って、センシング結果をＲＲＣ層に送ってもよい。
【０２０３】
例えば、クライアント無線ノード内のＡＤＳＳのＭＡＣモジュールは、図９におけるステップＳ９３０を実施してよい。
【０２０４】
図２３は、本開示による、例示的な設定のシグナリングフローを概略的に図示する。
【０２０５】
図２３ａに示されるように、ＣＣＵは、（設定情報とも呼ばれる）サウンディングおよびセンシング関連の設定に関する情報をＡＰのＡＤＳＳのＲＲＣモジュールに送ってよい。次に、ＡＰのＡＤＳＳのＲＲＣモジュールは、情報に従って設定される。図２３ｂに図示されるように、ＡＰのＡＤＳＳのＲＲＣモジュールは、クライアント無線ノードのＡＤＳＳのＲＲＣモジュール（すなわち、図２２に図示されるようなクライアント無線ノード内のＡＤＳＳのＲＲＣモジュール）に設定情報を送ってよい。次に、図２３ｃおよび図２３ｄにおいて、ＡＰまたはクライアント無線ノードのどちらかに対して、個々のＡＤＳＳのＲＲＣモジュールは、設定情報に従って、個々のＡＤＳＳのＭＡＣモジュールを設定することになる。設定情報は、ＡＤＳＳ関連のパラメータ、例えば、ＤＳＳＰの開始および長さ、ＤＳＳＩの開始および長さ、ＤＳＳＩのパターン、ＳＲＵの割り当てならびに指向性センシングおよび測定のための設定、測定報告関連の設定、指向性サウンディング信号の送信に関連した設定（例えば、ＴＸ電力）を指示してよい。
【０２０６】
図２４は、本開示による、例示的なセンシング結果のシグナリングフローを概略的に図示する。
【０２０７】
センシング結果は、受信ノードにおいて処理され、測定報告に出力する。リンクのそれぞれの受信ノードは、ＭＡＣ層におけるリンクに対するセンシング結果を生成し、受信ノードのＡＤＳＳのＲＲＣモジュールに測定報告を送ってよい（図２４ａ）。受信ノードがＡＰである場合、測定報告は、ＡＰのＡＤＳＳのＲＲＣモジュールによって、直接、ＣＣＵに送られる（図２４ｂ）。受信ノードがクライアント無線ノードである場合、測定報告は、ＡＰの、ピアであるＡＤＳＳのＲＲＣモジュールに最初に送られ、次いでＡＰのピアであるＡＤＳＳのＲＲＣモジュールは、測定報告をＣＣＵに転送する（図２４ｃ）。ＣＣＵは、ＡＰのＡＤＳＳのＲＲＣモジュールを設定情報で一旦設定してよく、ＡＰのＡＤＳＳのＲＲＣモジュールは、設定情報を格納し、その後、新しいリンクのために、格納された設定情報で、ＡＰがサーブするリンクを設定してよい。
【０２０８】
複数のリンクをサーブするＡＰのために、ＡＰのＡＤＳＳのＲＲＣモジュールは、オーバヘッドを節約するために、複数のリンクに関するセンシング報告をさらに統合し、統合されたセンシング結果をＣＣＵに送ってよい。
【０２０９】
図２５は、本開示による、スケジューリングベースのリソース割り当てに対する例示的なシグナリングフローを概略的に図示する。
【０２１０】
本開示によれば、トラフィックの変動が発生するとき、１つのリンクに対して割り当てられたリソーステンプレートは、動的に調節されてよい。１つの例において、リンクが（例えば、テンプレートによる）アサインされた許容値より高いデータレートを必要とするとき、このリンクをサーブするＡＰは、テンプレート許容値リクエスト（Ｔｅｍｐｌａｔｅ  Ｇｒａｎｔ  Ｒｅｑｕｅｓｔ）の許可（ＧＲＡ）をＣＣＵに送ってよい。レスポンスとして、ＣＣＵ内のリソースマネージャは、テンプレート許容値割り当て（Ｔｅｍｐｌａｔｅ  Ｇｒａｎｔ  Ａｌｌｏｃａｔｉｏｎ）（ＴＧＡ）メッセージを介して、新しいリソーステンプレートで、リンクに対してより多くのリソースを割り当ててよい。同様に、リンクが、アサインされた許容値より低いデータレートを必要とするとき、ＡＰは、ＧＲＡをＣＣＵに送ってよく、ＣＣＵは、ＣＣＵのリソースマネージャによって、ＴＧＡメッセージを介して、新しいリソーステンプレートでリンクに対してより少ないリソースを割り当ててよい。
【０２１１】
本開示は、本開示の実施形態を参照しながら、上記で説明される。しかし、これらの実施形態は、本開示を限定するのではなく、例証的な目的のためだけに、提供される。本開示の範囲は、添付の特許請求の範囲、およびその均等物によって規定される。当業者は、本開示の範囲から逸脱することなく、様々に変更および修正を行ってよく、これらは、すべて、本開示の範囲に分類される。
【図１】
0006498323.tif 000004
【図２】
0006498323.tif 000005
【図３】
0006498323.tif 000006
【図４】
0006498323.tif 000007
【図５】
0006498323.tif 000008
【図６】
0006498323.tif 000009
【図７】
0006498323.tif 000010
【図８】
0006498323.tif 000011
【図９】
0006498323.tif 000012
【図１０】
0006498323.tif 000013
【図１１】
0006498323.tif 000014
【図１２】
0006498323.tif 000015
【図１３】
0006498323.tif 000016
【図１４】
0006498323.tif 000017
【図１５】
0006498323.tif 000018
【図１６】
0006498323.tif 000019
【図１７】
0006498323.tif 000020
【図１８】
0006498323.tif 000021
【図１９】
0006498323.tif 000022
【図２０】
0006498323.tif 000023
【図２１】
0006498323.tif 000024
【図２２】
0006498323.tif 000025
【図２３】
0006498323.tif 000026
【図２４】
0006498323.tif 000027
【図２５】
0006498323.tif 000028